(57)【要約】      （修正有）【課題】車両、乗り物、輸送体のピラーを透明に見えるようにするための方法を提供する。【解決手段】クローキングデバイスは、物体サイド１２、画像サイド１４、外向きミラー表面１１２，１２２，１３２，１４２を有する物体サイドクローキング領域反射境界、および、外向きミラー表面を有する画像サイドＣＲ反射境界１２０，１４０を含む。クローキング領域２００は、物体サイドＣＲ反射境界１１０，１３０および画像サイドＣＲ反射境界により囲まれている。物体サイドレンズ１５０，１７０、画像サイドレンズ１６０，１８０、および少なくとも１つの外部反射境界１１５，１３５が含まれている。【選択図】図１
2019091008.tif 000002
【特許請求の範囲】
【請求項１】
クローキングデバイスであって、
物体サイド、画像サイド、および、前記物体サイドから前記画像サイドまで延在する頂点軸と、
外向きミラー表面と内向き表面とを有する物体サイドＣＲ反射境界、および、外向きミラー表面と内向き表面とを有する画像サイドＣＲ反射境界と、
前記物体サイドＣＲ反射境界および前記画像サイドＣＲ反射境界の前記内向き表面により囲まれたクローキング領域と、
各々が外向き凸状表面を含む、物体サイドレンズおよび画像サイドレンズと、
前記物体サイドＣＲ反射境界および前記画像サイドＣＲ反射境界から離隔された内向きミラー表面を含む少なくとも１つの外部反射境界と、
を含み、
前記クローキングデバイスの前記物体サイドに位置付けされ前記クローキング領域により視認不能化された物体からの光が、前記物体サイドレンズにより集束され、前記物体サイドＣＲ反射境界、前記少なくとも１つの外部反射境界および前記画像サイドＣＲ反射境界により反射され、前記画像サイドレンズにより集束されて前記クローキングデバイスの前記画像サイドに前記物体の画像を形成し、こうして前記物体からの前記光が前記クローキング領域を通過したようにみえる、
クローキングデバイス。
【請求項２】
前記少なくとも１つの外部反射境界が、前記物体サイドＣＲ反射境界および前記画像サイドＣＲ反射境界に面する前記内向きミラー表面を備えた、中央に位置付けされた外部反射境界を含む、請求項１に記載のクローキングデバイス。
【請求項３】
前記物体サイドレンズは、前記クローキングデバイスの前記物体サイドに位置付けされた前記物体からの入射光を前記物体サイドＣＲ反射境界に集束させるように配向されており、前記物体サイドＣＲ反射境界は、前記物体サイドレンズから集束された光を前記中央に位置付けされた外部反射境界の前記内向きミラー表面に反射するよう配向されており、前記中央に位置付けされた外部反射境界の内向きミラー表面は、前記物体サイドＣＲ反射境界からの光を前記画像サイドＣＲ反射境界に反射するように配向されており、前記画像サイドＣＲ反射境界は、前記中央に位置付けされた外部反射境界の前記内向きミラー表面からの光を前記画像サイドレンズに反射するように配向されており、前記画像サイドレンズは、前記画像サイドＣＲ反射境界からの光を集束させて前記クローキングデバイスの前記画像サイドに前記物体の前記画像を形成するように配向されている、請求項２に記載のクローキングデバイス。
【請求項４】
前記物体サイドレンズは、前記物体サイドに位置付けされた前記物体からの入射光を焦線に集束させ、前記中央に位置付けされた外部反射境界の前記内向きミラー表面は前記焦線に位置付けされている、請求項２に記載のクローキングデバイス。
【請求項５】
前記中央に位置付けされた外部反射境界の前記内向きミラー表面は前記頂点軸に対して平行に配向されている、請求項２に記載のクローキングデバイス。
【請求項６】
前記少なくとも１つの外部反射境界は、内向きミラー表面を備えた物体サイド外部反射境界と、外向きミラー表面を備えた中央に位置付けされた反射境界と、内向きミラー表面を備えた画像サイド外部反射境界と、を含む、請求項１に記載のクローキングデバイス。
【請求項７】
前記物体サイド外部反射境界の前記内向きミラー表面は、前記物体サイドＣＲ反射境界の前記外向きミラー表面および前記中央に位置付けされた反射境界の前記外向きミラー表面に面しており、
前記画像サイド外部反射境界の前記内向きミラー表面は、前記中央に位置付けされた反射境界の前記外向きミラー表面および前記画像サイドＣＲ反射境界の前記外向きミラー表面に面している、
請求項６に記載のクローキングデバイス。
【請求項８】
前記物体サイドレンズは、前記クローキングデバイスの前記物体サイドに位置付けされた前記物体からの入射光を前記物体サイドＣＲ反射境界に集束させるように配向されており、前記物体サイドＣＲ反射境界は、前記物体サイドレンズから集束された光を前記物体サイド外部反射境界に反射するように配向されており、前記物体サイド外部反射境界は、前記物体サイドＣＲ反射境界からの光を前記中央に位置付けされた反射境界に反射するように配向されており、前記中央に位置付けされた反射境界は、前記物体サイド外部反射境界からの光を前記画像サイド外部反射境界に反射するように配向されており、前記画像サイド外部反射境界は、前記中央に位置付けされた反射境界からの光を前記画像サイドＣＲ反射境界に反射するように配向されており、前記画像サイドＣＲ反射境界は、前記画像サイド外部反射境界からの光を前記画像サイドレンズに反射するように配向されており、前記画像サイドレンズは、前記画像サイドＣＲ反射境界からの光を集束させて前記クローキングデバイスの前記画像サイドに前記物体の前記画像を形成するように配向されている、請求項６に記載のクローキングデバイス。
【請求項９】
前記中央に位置付けされた反射境界の前記外向きミラー表面が前記頂点軸に対して平行に配向されている、請求項６に記載のクローキングデバイス。
【請求項１０】
請求項１に記載のクローキングデバイスを含むビークルであって、前記ビークルのＡピラーが前記クローキング領域の内部に位置付けされている、ビークル。
【発明の詳細な説明】
【技術分野】
【０００１】
技術分野
本明細書は、概して、物体が透明に見えるようにするための装置および方法に関し、より具体的には、ビークル（車両、乗り物、輸送体）のピラー用のクローキングデバイスおよびビークルのピラーを透明に見えるようにするための方法に関する。
【背景技術】
【０００２】
背景
ビークルのピラーを透明にすると考えられるクローキングデバイスについての研究が公表されている。このような研究は、ビークルの乗員が見掛け上、ビークルピラーを通して「見る」ことができるようにし、これによってビークル内の死角を減少させるためにメタマテリアルを使用すること、または表示スクリーンと組み合わせてビデオカメラを使用することを開示している。しかしながら、メタマテリアルおよびビデオ技術は、複雑な材料設計および設備を使用する。
【発明の概要】
【０００３】
したがって、ビークルのピラーを透明にすると考えられる代替的なデバイスに対するニーズが存在する。
【０００４】
概要
一実施形態において、クローキングデバイスは、物体サイド、画像サイド、および、物体サイドから画像サイドまで延在する頂点軸を含む。外向きミラー表面と内向き表面とを有する物体サイドクローキング領域（ＣＲ）反射境界、および外向きミラー表面と内向き表面とを有する画像サイドＣＲ反射境界が含まれる。クローキング領域は、物体サイドＣＲ反射境界および画像サイドＣＲ反射境界の内向き表面により囲まれている。物体サイドレンズ、画像サイドレンズおよび少なくとも１つの外部反射境界が含まれている。物体サイドレンズおよび画像サイドレンズは、各々内向き表面と外向き凸状表面とを含み、少なくとも１つの外部反射境界は、物体サイドＣＲ反射境界および画像サイドＣＲ反射境界から離隔された内向きミラー表面を含む。いくつかの実施形態において、少なくとも１つの外部反射境界は、物体サイドＣＲ反射境界および画像サイドＣＲ反射境界に面した内向きミラー表面を備えた、中央に位置付けされた外部反射境界である。他の実施形態において、少なくとも１つの外部反射境界は、内向きミラー表面を備えた物体サイド外部反射境界、外向きミラー表面を備えた中央に位置付けされた反射境界および内向きミラー表面を備えた画像サイド外部反射境界を含む。クローキングデバイスの物体サイドに位置付けされクローキングデバイスにより視認不能化された物体からの光は、物体サイドレンズにより集束され、物体サイドＣＲ反射境界、少なくとも１つの外部反射境界および画像サイドＣＲ反射境界により反射され、画像サイドレンズにより集束されて、クローキングデバイスの画像サイドに物体の画像を形成し、こうして物体からの光がクローキング領域を通過したようにみえる。
【０００５】
別の実施形態において、クローキングデバイスアセンブリは、物体サイド、画像サイド、物体サイドから画像サイドまで延在する頂点軸、一対の物体サイドクローキング領域（ＣＲ）反射境界、および、一対の画像サイドＣＲ反射境界を含む。一対の物体サイドＣＲ反射境界は、頂点軸の第１の側に位置付けされた第１の物体サイドＣＲ反射境界および頂点軸の第２の側に位置付けされた第２の物体サイドＣＲ反射境界を含む。一対の画像サイドＣＲ反射境界は、頂点軸の第１の側に位置付けされた第１の画像サイドＣＲ反射境界および第１の側と反対側の頂点軸の第２の側に位置付けされた第２の画像サイドＣＲ反射境界を含む。一対の物体サイドＣＲ反射境界の各々および一対の画像サイドＣＲ反射境界の各々は、外向きミラー表面および内向き表面を含んでいる。クローキング領域は、一対の物体サイドＣＲ反射境界および一対の画像サイドＣＲ反射境界の内向き表面により囲まれている。一対の物体サイドレンズおよび一対の画像サイドレンズが含まれている。一対の物体サイドレンズは、頂点軸の第１の側に位置付けされた第１の物体サイドレンズおよび頂点軸の第２の側に位置付けされた第２の物体サイドレンズを含む。同様に、一対の画像サイドレンズは、頂点軸の第１の側に位置付けされた第１の画像サイドレンズおよび頂点軸の第２の側に位置付けされた第２の画像サイドレンズを含む。一対の物体サイドレンズの各々および一対の画像サイドレンズの各々は、内向き表面および外向き凸状表面を含む。頂点軸の第１の側に位置付けされた第１の外部反射境界および頂点軸の第２の側に位置付けされた第２の外部反射境界を備えた少なくとも一対の外部反射境界が含まれている。いくつかの実施形態において、少なくとも一対の外部反射境界は、内向きミラー表面を備えた一対の中央に位置付けされた外部反射境界である。他の実施形態において、少なくとも一対の外部反射境界は、内向きミラー表面を備えた一対の物体サイド外部反射境界、外向きミラー表面を備えた一対の中央に位置付けされた反射境界、および内向きミラー表面を備えた一対の画像サイド外部反射境界を含む。前記クローキングデバイスアセンブリの前記物体サイドに位置付けされ前記クローキング領域により視認不能化された物体からの光は、一対の物体サイドレンズにより集束され、一対の物体サイドＣＲ反射境界、少なくとも一対の外部反射境界および一対の画像サイドＣＲ反射境界によって反射され、一対の画像サイドレンズ対により集束されてクローキングデバイスアセンブリの画像サイドに物体の画像を形成し、こうして物体からの光はクローキング領域を通過したようにみえる。
【０００６】
さらに別の実施形態においては、ビークルが、Ａピラーと、物体サイドおよび画像サイドを備えたクローキングアセンブリと、を含んでいる。このクローキングアセンブリは、外向きミラー表面と内向き表面とを備えた物体サイドクローキング領域（ＣＲ）反射境界、および、外向きミラー表面と内向き表面とを備えた画像サイドＣＲ反射境界を含む。クローキング領域は、物体サイドＣＲ反射境界および画像サイドＣＲ反射境界の内向き表面により囲まれており、Ａピラーは、クローキング領域の内部に位置付けされている。物体サイド色消しレンズ、画像サイド色消しレンズ、および少なくとも１つの外部反射境界が含まれている。いくつかの実施形態において、少なくとも１つの外部反射境界は、内向きミラー表面を備えた中央に位置付けされた外部反射境界を含む。他の実施形態において、少なくとも１つの外部反射境界は、内向きミラー表面を備えた物体サイド外部反射境界、外向きミラー表面を備えた中央に位置付けされた反射境界および内向きミラー表面を備えた画像サイド外部反射境界を含む。クローキングデバイスの物体サイドに位置付けされクローキングデバイスにより視認不能化された物体からの光は、物体サイド色消しレンズにより集束され、物体サイドＣＲ反射境界、少なくとも１つの外部反射境界および画像サイドＣＲ反射境界により反射され、画像サイド色消しレンズによって集束されて、クローキングデバイスの画像サイドに物体の画像を形成し、こうして物体からの光がＡピラーを通過したようにみえる。
【０００７】
本開示中に記載の実施形態により提供されるこれらのおよび付加的な特徴は、図面と併せて以下の詳細な説明を考慮することでより完全に理解されるものである。
【０００８】
図面中に明記されている実施形態は、事実上説明的かつ例示的なものであり、特許請求の範囲によって定義されている主題を限定するように意図されたものではない。例示的実施形態についての以下の詳細な説明は、以下の図面と併せて読んだ場合に理解可能であり、これらの図面中、類似の構造には、類似の参照番号が示されている。
【図面の簡単な説明】
【０００９】
【図１】本開示中で開示され説明されている１つ以上の実施形態に係るクローキングデバイスの頂面図を概略的に描いている。
【００１０】
【図２】本開示中で開示され説明されている１つ以上の実施形態に係るクローキングデバイス用の色消し円柱レンズを概略的に描いている。
【００１１】
【図３】本開示中で開示され説明されている１つ以上の実施形態に係るクローキングデバイス用の円柱レンズを概略的に描いている。
【００１２】
【図４】本開示中で開示され説明されている１つ以上の実施形態に係るクローキングデバイスの頂面図を概略的に描いている。
【００１３】
【図５】本開示中で開示され説明されている１つ以上の実施形態に係るクローキングデバイスの頂面図を概略的に描いている。
【００１４】
【図６】本開示中で開示され説明されている１つ以上の実施形態に係るクローキングデバイスの頂面図を概略的に描いている。
【００１５】
【図７】本開示中で開示され説明されている１つ以上の実施形態に係るクローキングデバイスの一方の側に第１の物体があり、クローキングデバイスのクローキング領域内に第２の物体がある状態の、図１および５のクローキングデバイスの頂面斜視図を概略的に描いている。
【００１６】
【図８】本開示中で開示され説明されている１つ以上の実施形態に係るクローキングデバイスの一方の側に第１の物体があり、クローキングデバイスのクローキング領域内に第２の物体がある状態の、図１および５のクローキングデバイスの側面図を概略的に描いている。
【００１７】
【図９】本開示中で開示され説明されている１つ以上の実施形態に係るビークルのビークルＡピラーをクローキングするクローキングデバイスを概略的に描いている。
【００１８】
【図１０Ａ】頂点軸とクローキングデバイスの視角の間の不整合が０°である、図１の実施形態に係るクローキングデバイス用のコンピュータシミュレーションしたクローキング画像を描いている。
【００１９】
【図１０Ｂ】頂点軸とクローキングデバイスの視角の間の不整合が１°である、図１の実施形態に係るクローキングデバイス用のコンピュータシミュレーションしたクローキング画像を描いている。
【００２０】
【図１０Ｃ】頂点軸とクローキングデバイスの視角の間の不整合が２°である、図１の実施形態に係るクローキングデバイス用のコンピュータシミュレーションしたクローキング画像を描いている。
【００２１】
【図１０Ｄ】頂点軸とクローキングデバイスの視角の間の不整合が３°である、図１の実施形態に係るクローキングデバイス用のコンピュータシミュレーションしたクローキング画像を描いている。
【発明を実施するための形態】
【００２２】
詳細な説明
本開示中に記載の１つ以上（１又は複数）の実施形態によると、クローキングデバイスは概して、複数のレンズおよび複数の平面ミラーを含み、これらが入射光をクローキング領域の周りに導く。本開示中に記載のクローキングデバイスは、物体からの光を集束させ、反射し、再度集束させるために、色消しレンズ、円柱レンズおよび平面ミラーを利用することができる。本開示中に記載のクローキングデバイスは、ビークルＡピラー、Ｂピラー、Ｃピラー、Ｄピラーなどのビークル部材をクローキングし、ビークル部材がもたらす「死角」を除去するために使用可能である。死角とは、乗員の視界が妨害され得るビークルの領域を意味する。クローキングデバイスがなければビークルのピラーによって妨害されると思われる画像を、レンズおよび平面ミラーを使用することにより、ドライバは、知覚することができる。本開示では、クローキングデバイスのさまざまな実施形態およびその使用方法が、添付図面を具体的に参照しながら、さらに詳細に説明される。
【００２３】
図１は概して、クローキングデバイスの一実施形態を描いている。クローキングデバイスは、少なくとも２つのＣＲ反射境界により少なくとも部分的に囲まれているクローキング領域（ＣＲ）、少なくとも２つのレンズおよび少なくとも２つのＣＲ反射境界から離隔された少なくとも１つの外部反射境界を含む。本開示中で使用される「境界」なる用語は、物理的表面を意味し、「反射境界」なる用語は、「平面反射境界」（単数及び複数）をそれぞれ意味する。「外部」なる用語は、ＣＲ反射境界の１つから離隔された、すなわち、ＣＲ反射境界の１つから既定の距離のところに位置付けされた境界またはミラー表面を意味する。１つのＣＲ反射境界は物体サイドＣＲ反射境界であってよく、別のＣＲ反射境界は画像サイドＣＲ反射境界であってよい。同様に、レンズの１つは物体サイドレンズであってよく、別のレンズは画像サイドレンズであってよい。少なくとも１つの外部反射境界は、物体サイドＣＲ反射境界および画像サイドＣＲ反射境界から離隔された内向きミラー表面を含む。
【００２４】
物体サイドレンズは、クローキングデバイスの物体サイドに位置付けされた物体からの入射光を物体サイドＣＲ反射境界に集束させるように配向されている。物体サイドＣＲ反射境界は、物体サイドレンズからの光を少なくとも１つの外部反射境界の内向きミラー表面に反射するように配向されており、少なくとも１つの外部反射境界は、物体サイドＣＲ反射境界からの光を画像サイドＣＲ反射境界に反射するように配向されている。画像サイドＣＲ反射境界は、少なくとも１つの外部反射境界からの光を画像サイドレンズに反射するように配向され、画像サイドレンズは、画像サイドＣＲ反射境界からの光を集束させクローキングデバイスの画像サイドに物体の画像を形成するように配向されている。
【００２５】
さらに図１を参照すると、クローキングデバイスの実施形態は、物体サイド１２、画像サイド１４および４つのＣＲ反射境界１１０、１２０、１３０、１４０を備えたクローキングアセンブリ１０を含む。物体サイド１２は、２等分軸１５より上（＋Ｙ方向）に位置付けされ、画像サイド１４は、２等分軸１５より下（−Ｙ方向）に位置付けされる。すなわち、２等分軸１５は物体サイド１２と画像サイド１４の間に延在し、これら間を線引きする。４つのＣＲ反射境界１１０、１２０、１３０、１４０の各々は、図中に示されたＸ軸に沿った長さ、Ｙ軸に沿った幅、およびＺ軸に沿った高さを有する。すなわち、図中に示されたＸ軸は、４つのＣＲ反射境界１１０、１２０、１３０、１４０の長さに沿って延在し、図中に示されたＹ軸は、４つのＣＲ反射境界１１０、１２０、１３０、１４０の幅に沿って延在し、図中に示されたＺ軸は、４つのＣＲ反射境界１１０、１２０、１３０、１４０の高さに沿って延在する。２つのＣＲ反射境界１１０、１３０は、物体「Ｏ」に面するようにクローキングアセンブリ１０の物体サイド１２に位置付けされてよく、本開示中では、物体サイドＣＲ反射境界１１０、１３０と呼ぶことができる。２つのＣＲ反射境界１２０、１４０は、クローキングアセンブリ１０によって形成される画像「Ｉ」を提供するように、クローキングアセンブリ１０の画像サイド１４に位置付けされてよく、本開示中では画像サイドＣＲ反射境界１２０、１４０と呼ぶことができる。
【００２６】
ＣＲ反射境界１１０、１２０、１３０、１４０は各々、外向きミラー表面１１２、１２２、１３２、１４２および内向き表面１１４、１２４、１３４、１４４をそれぞれ有している。本開示中で使用される「外向き」なる用語は、ＣＲ反射境界１１０，２０，１３０、１４０により少なくとも部分的に囲まれているクローキング領域２００から離れる方に面し、かつ／またはクローキング領域２００から離れる方に光を反射する表面を意味し、本開示中で使用される「内向き」なる用語は、クローキング領域２００に向かって面しかつ／またはクローキング領域２００に向かって光を反射する表面を意味する。実施形態において、内向き表面１１４、１２４、１３４、１４４の１つ以上は、不透明な表面であり得る。外向きミラー表面１１２、１２２、１３２、１４２は、外向きミラー表面１１２、１２２、１３２、１４２に入射する光がそこから反射されるように、全方向フォトニック結晶またはミラーで製造され得る。本開示中で使用する「ミラー表面」なる用語は、ミラー表面に入射する全てのモードの光（例えばｓ偏光およびｐ偏光）を反射する表面を意味する。同様に、本開示中で使用される「そこから反射された」なる用語は、１つの表面から入射光の少なくとも５０％が反射されていることを意味する。いくつかの実施形態においては、入射光の少なくとも６０％が表面から反射され、一方他の実施形態においては、入射光の少なくとも７０％が表面から反射される。さらに他の実施形態においては、入射光の少なくとも８０％、例えば入射光の少なくとも９０％が表面から反射される。
【００２７】
ＣＲ反射境界１１０、１２０、１３０、１４０はそれぞれ、頂点端部１１６、１２６、１３６、１４６および側方端部１１８、１２８、１３８、１４８を有することができる。側方端部１１８、１２８、１３８、１４８はそれぞれ、頂点端部１１６、１２６、１３６、１４６から離隔されており、ＣＲ反射境界１１０、１２０、１３０、１４０はそれぞれ、頂点端部１１６、１２６、１３６、１４６と側方端部１１８、１２８、１３８、１４８の間に延在している。実施形態において、２つの物体サイドＣＲ反射境界１１０、１３０の頂点端部１１６、１３６はそれぞれ、頂点１９０で合流または交差し、代替的にまたは付加的に、２つの画像サイドＣＲ反射境界１２０、１４０の頂点端部１２６、１４６はそれぞれ、頂点１９２で合流または交差する。このような実施形態において、頂点軸１６は、頂点１９０および頂点１９２を二等分し、クローキングアセンブリ１０の右側（＋Ｘ方向）と左側（−Ｘ方向）の間の中心線であり得る。他の実施形態において、２つの物体サイドＣＲ反射境界１１０、１３０の頂点端部１１６、１３６はそれぞれ互いに離隔され、かつ／または２つの画像サイドＣＲ反射境界１２０、１４０の頂点端部１２６、１４６はそれぞれ互いに離隔され、こうしてクローキングされていない領域または間隙（図示せず）が、離隔された頂点端部１１６、１３６および／または離隔された頂点端部１２６、１４６の間に存在するようになっている。このような実施形態においては、クローキングされていない領域より上（＋Ｙ方向）に位置付けされた物体Ｏの部分の画像は、クローキングアセンブリ１０の画像サイド１４に提供されることはない。
【００２８】
実施形態において、図１に描かれているように側方端部１１８は側方端部１２８に隣接して位置付けされてよく、この側方端部１２８に接合され得、側方端部１３８は側方端部１４８に隣接して位置付けされてよく、この側方端部１４８に接合され得る。他の実施形態において、側方端部１１８、１３８は、側方端部１２８、１４８から離隔（Ｙ方向）されていてよい（図示せず）。
【００２９】
実施形態において、２つの物体サイドＣＲ反射境界１１０、１３０および２つの画像サイドＣＲ反射境界１２０、１４０は、少なくとも部分的に内向き表面１１４、１３４、１２４、１４４により囲まれているクローキング領域２００を形成する。２つの物体サイドＣＲ反射境界１１０、１３０および２つの画像サイドＣＲ反射境界１２０、１４０は、図中の座標軸のＺ方向で高さ「ｈ」（図８）を有し、クローキング領域２００内部で反射または伝達される光は、内向き表面１１４、１３４、１２４、１４４を貫通しない。したがって、クローキング領域２００の内部に位置設定された部材（例えばクローキングされた部材）は、＋Ｙ方向で画像サイド１４からクローキングアセンブリ１０を検分する観察者には見えない。
【００３０】
さらに図１を参照すると、クローキングアセンブリは４つのレンズ１５０、１６０、１７０、１８０を含み得る。４つのレンズ１５０、１６０、１７０、１８０の各々は、図中に示された座標軸のＸ軸に沿った長さ、Ｙ軸に沿った厚みおよびＺ軸に沿った高さを有する。すなわち、図中に示されたＸ軸は、４つのレンズ１５０、１６０、１７０、１８０の長さに沿って延在し、図中に示されたＹ軸は４つのレンズ１５０、１６０、１７０、１８０の厚みに沿って延在し、図中に示されたＺ軸は４つのレンズ１５０、１６０、１７０、１８０の高さに沿って延在する。２つのレンズ１５０、１７０は、物体「Ｏ」に面するようにクローキングアセンブリ１０の物体サイド１２に位置付けされてよく、本開示では物体サイドレンズ１５０、１７０と呼ぶことができる。２つのレンズ１６０、１８０は、クローキングアセンブリ１０により形成された画像「Ｉ」を提供するようにクローキングアセンブリ１０の画像サイド１４に位置付けされてよく、本開示では、画像サイドレンズ１６０、１８０と呼ぶことができる。
【００３１】
レンズ１５０、１６０、１７０、１８０は各々、内向き表面１５２、１６２、１７２、１８２および外向き凸状表面１５４、１６４、１７４、１８４をそれぞれ有する。実施形態において、内向き表面１５２、１６２、１７２、１８２は平面表面である。他の実施形態では、内向き表面１５２、１６２、１７２、１８２は、平面でない表面である。すなわち内向き表面１５２、１６２、１７２、１８２は曲線の表面である。レンズ１５０、１６０、１７０、１８０は各々、頂点軸１６に対し遠位である第１の端部１５６、１６６、１７６、１８６および頂点軸１６に対して近位である第２の端部１５８、１６８、１７８、１８８をそれぞれ有する。内向き表面１５２、１６２、１７２、１８２および外向き凸状表面１５４、１６４、１７４、１８４はそれぞれ第１の端部１５６、１６６、１７６、１８６および第２の端部１５８、１６８、１７８、１８８の間に延在する。
【００３２】
実施形態において、レンズ１５０、１６０、１７０、１８０は、図１に描かれているような色消しレンズであってよい。色消しレンズの形をしたレンズ１６０の個別の斜視図が図２に描かれている。詳細には、レンズ１６０は、内向き表面１６２および外向き凸状表面１６４を含む。外向き凸状表面１６４は半径「ｒ１」を有する。内向き表面１６２および外向き凸状表面１６４は、第１の端部１６６と第２の端部１６８の間に延在する。レンズ１６０は、Ｘ方向に沿った長さ「ｌ」、Ｙ方向の厚み（標識なし）、およびＺ方向に延在する高さ「ｈ」を有する。レンズ１６０は、図２に描かれているように、２つの光学構成要素、例えばフリント１６１とクラウン１６３から形成されていてよい。フリント１６１は、内向き表面１６２を含み、クラウン１６３は外向き凸状表面１６４を含む。フリント１６１は、第１の屈折率を有する第１の透明材料で形成され、クラウン１６３は、第１の屈折率とは異なる第２の屈折率を備えた第２の透明材料で形成されている。
【００３３】
クローキングアセンブリ１０は、それぞれＣＲ反射境界１１０、１２０およびＣＲ反射境界１３０、１４０から離隔された中央に位置付けされた外部反射境界１１５、１３５を含んでいてよい。実施形態において、中央に位置付けされた外部反射境界１１５、１３５は、それぞれＣＲ反射境界１１０、１２０および１３０、１４０のそれぞれ側方端部１１８、１２８および１３８、１４８から離隔されていてかつこれらの端部の近位に位置付けされていてよい。中央に位置付けされた外部反射境界１１５は、ＣＲ反射境界１１０、１２０に面する内向きミラー表面を有し、中央に位置付けされた外部反射境界１３５は、ＣＲ反射境界１３０、１４０に面する内向きミラー表面１３７を有する。このような実施形態において、中央に位置付けされた外部反射境界１１５は、ＣＲ反射境界１１０、１２０の側（＋Ｘ方向）に位置付けされ、中央に位置付けされた外部反射境界１３５は、ＣＲ反射境界１３０、１４０の側（−Ｘ方向）に位置付けされる。実施形態において、中央に位置付けされた外部反射境界１１５、１３５は、２等分軸１５上に位置付けされてよい。同様に、内向きミラー表面１１７、１３７は、頂点１９０および頂点１９２を２等分する頂点軸１６に対して概して平行に配向または整列されてよい。
【００３４】
物体サイドレンズ１５０は、クローキングアセンブリ１０において右側（＋Ｘ方向）に入射する物体Ｏからの光（図１に矢印「１」として示されている）が物体サイドレンズ１５０を通って伝播し物体サイドレンズ１５０より集束され（図１に矢印「２」として示されている）、外向きミラー表面１１２に集束される（図１に矢印「３」として示されている）ように、物体サイドＣＲ反射境界１１０との関係において位置付けされている。中央に位置付けされた外部反射境界１１５は、物体サイドレンズ１５０からの光３が外向きミラー表面１１２によって内向きミラー表面１１７に反射される（図１に矢印「４」として示されている）ように、物体サイドＣＲ反射境界１１０との関係において位置付けされている。実施形態において、光４は焦線ｆ１に集束され、内向きミラー表面１１７は焦線ｆ１に位置付けされる。すなわち、外向き凸状表面１５４の高さｈ（Ｚ方向）に沿って物体サイドレンズ１５０に入射する光１は、概して、物体サイドレンズ１５０によって集束され、外向きミラー表面１１２によって、Ｚ方向に延在する焦線ｆ１に反射される。焦線ｆ１および本開示中に記載の他の焦線が所与の１つまたは複数のレンズ表面の曲率により提供されていることを理解すべきである。例えば、焦線ｆ１は、物体サイドレンズ１５０の外向き凸状表面１５４の曲率に起因する、つまりこの曲率によって提供される。
【００３５】
中央に位置付けされた外部反射境界１１５は、外向きミラー表面１１２からの光４が、内向きミラー表面１１７によって反射されこの内向きミラー表面１１７から画像サイド反射境界１２０の外向きミラー表面１２２に発散する（図１に矢印「５」として示されている）ように、ＣＲ反射境界１１０、１２０との関係において位置付けされてよい。画像サイドＣＲ反射境界１２０は、内向きミラー表面１１７からの光５が、外向きミラー表面１２２により画像サイドレンズ１６０の内向き表面１６２に反射される（図５に矢印「６」として示されている）ように、中央に位置付けされた外部反射境界１１５との関係において位置付けされている。画像サイドレンズ１６０は、外向きミラー表面１２２からの光６が、画像サイドレンズ１６０を通って伝播し画像サイドレンズ１６０によって集束され（図１に矢印「７」として示されている）、頂点軸１６に対し概して平行な方向に集束され（光８）、頂点軸１６の右側（＋Ｘ方向）で画像Ｉの一部分を形成するように、画像サイドＣＲ反射境界１２０との関係において位置付けされる。実施形態において、画像サイドレンズ１６０は、光７を元の経路に戻すようにすなわち光１と平行かつ共線的になるように集束させる。
【００３６】
物体サイドレンズ１７０は、クローキングアセンブリ１０において左側（−Ｘ方向）に入射する物体Ｏからの光１が物体サイドレンズ１７０を通って伝播し物体サイドレンズ１７０により集束され（光２）、光３として外向きミラー表面１１２に集束されるように、物体サイドＣＲ反射境界１３０との関係において位置付けされている。中央に位置付けされた外部反射境界１３５は、物体サイドレンズ１７０からの光３が外向きミラー表面１３２によって内向きミラー表面１３７に反射される（光４）ように、物体サイドＣＲ反射境界１３０との関係において位置付けされている。実施形態において、光４は焦線ｆ２に集束され、内向きミラー表面１３７は焦線ｆ２に位置付けされる。すなわち、外向き凸状表面１７４の高さｈ（Ｚ方向）に沿って物体サイドレンズ１７０に入射する光１は、概して、物体サイドレンズ１７０によって集束され、外向きミラー表面１３２によって、Ｚ方向に延在する焦線ｆ２に反射される。
【００３７】
中央に位置付けされた外部反射境界１３５は、外向きミラー表面１３２からの光４が、内向きミラー表面１３７によって反射されこの内向きミラー表面１３７から画像サイド反射境界１４０の外向きミラー表面１４２に発散する（光５）ように、ＣＲ反射境界１３０、１４０との関係において位置付けされてよい。画像サイドＣＲ反射境界１４０は、内向きミラー表面１３７からの光５が、外向きミラー表面１４２により画像サイドレンズ１８０の内向き表面１８２に反射される（光６）ように、中央に位置付けされた外部反射境界１３５との関係において位置付けされている。画像サイドレンズ１８０は、外向きミラー表面１４２からの光６が、画像サイドレンズ１８０を通って伝播し画像サイドレンズ１８０により集束され（光７）、頂点軸１６に対し概して平行な方向に集束され（光８）、頂点軸１６の左側（−Ｘ方向）で画像Ｉの一部分を形成するように、画像サイドＣＲ反射境界１４０との関係において位置付けされる。実施形態において、画像サイドレンズ１８０は、光７を元の経路に戻すように、すなわち光１と平行かつ共線的になるように集束させる。
【００３８】
図１は、それぞれ物体サイドレンズ１５０、１７０の第２の端部１５８、１７８およびそれぞれ画像サイドレンズ１６０、１８０の第２の端部１６８、１８８を、互いに接触して位置付けされた状態で描いているが、第２の端部１５８、１７８および／または第２の端部１６８、１８８は、クローキングされていない領域または間隙（図示せず）が離隔された第２の端部１５８、１７８および／または離隔された第２の端部１６８、１８８の間に存在するように、Ｘ軸に沿って互いから離隔されていてよい、ということを理解すべきである。このような実施形態においては、クローキングされていない領域より上（＋Ｙ方向）に位置付けされた物体Ｏの部分の画像がクローキングアセンブリ１０の画像サイド１４に提供されることはない。
【００３９】
さらに図１を参照すると、物体「Ｏ」から光１は−Ｙ方向に進み、それぞれ、物体サイドレンズ１５０、１７０の外向き凸状表面１５４、１７４に入射する。クローキングアセンブリ１０の頂点軸１６の右側（＋Ｘ方向）の光１は、光２として物体サイドレンズ１５０により物体サイドＣＲ反射境界１１０の外向きミラー表面１１２に集束され（光３）、その後、光４として焦線ｆ１まで、内向きミラー表面１１７に反射される。光４は、光５として画像サイドＣＲ反射境界１２０の外向きミラー表面１２２に、内向きミラー表面１１７によって反射されこの内向きミラー表面１１７から発散した後、光６として画像サイドレンズ１６０の内向き表面１６２に反射される。光６は、画像サイドレンズ１６０を通して伝搬し画像サイドレンズ１６０により集束され（光７）、−Ｙ方向で光１に対し概して平行に集束され（光８）、頂点軸１６の右（＋Ｘ方向）に位置付けされた物体Ｏの部分に対応する画像Ｉの一部分を形成する。したがって、頂点軸１６の右側の物体Ｏからの光１は、物体Ｏ−物体サイドレンズ１５０−外向きミラー表面１１２−内向きミラー表面１１７−外向きミラー表面１２２−画像サイドレンズ１６０−Ｉ、という光路を有する。
【００４０】
クローキングアセンブリ１０の頂点軸１６の左側（−Ｘ方向）の光１は、光２として物体サイドレンズ１７０により物体サイドＣＲ反射境界１３０の外向きミラー表面１３２（光３）に集束された後、光４として内向きミラー表面１３７の焦線ｆ２に反射される。光４は、光５として、画像サイドＣＲ反射境界１４０の外向きミラー表面１４２まで内向きミラー表面１３７によって反射されこの内向きミラー表面１３７から発散した後、光６として画像サイドレンズ１８０の内向き表面１８２に反射される。光６は、画像サイドレンズ１８０を通って伝播し画像サイドレンズ１８０により集束され（光７）、−Ｙ方向で光１に対し概して平行に集束され（光８）、頂点軸１６の左（−Ｘ方向）に位置付けされた物体Ｏの部分に対応する画像Ｉの一部分を形成する。したがって、頂点軸１６の左側の物体Ｏからの光１は、物体Ｏ−物体サイドレンズ１７０−外向きミラー表面１３２−内向きミラー表面１３７−外向きミラー表面１４２−画像サイドレンズ１８０−Ｉ、という光路を有する。
【００４１】
組み合わせた形で、すなわち、クローキングアセンブリ１０の物体サイド１２にある物体Ｏからの頂点軸１６の右側（＋Ｘ方向）および左側（−Ｘ方向）の光１は、物体Ｏ−物体サイドレンズ１５０、１７０−外向きミラー表面１１２、１３２−内向きミラー表面１１７、１３７−外向きミラー表面１２２、１４２−画像サイドレンズ１６０、１８０−画像という光路を介して画像サイド１４まで伝播する。すなわち、物体Ｏからの光１は、物体Ｏ−それぞれ物体サイドレンズ１５０、１７０の外向き凸状表面１５４、１７４−それぞれ物体サイドレンズ１５０、１７０の内向き表面１５２、１７２−それぞれ物体サイドＣＲ反射境界１１０、１３０の外向きミラー表面１１２、１３２−それぞれ中央に位置付けされた外部反射境界１１５、１３５の内向きミラー表面１１７、１３７−それぞれ画像サイドＣＲ反射境界１２０、１４０の外向きミラー表面１２２、１４２−それぞれ画像サイドレンズ１６０、１８０の内向き表面１６２、１８２−それぞれ画像サイドレンズ１６０、１８０の外向き凸状表面１６４、１８４−画像Ｉ、という光路を介して伝播する。
【００４２】
図１は、色消しレンズを含むクローキングアセンブリ１０を描いているものの、レンズ１５０、１６０、１７０、１８０は色消しレンズでなくてもよいということを理解すべきである。例えば、図３は、色消しレンズではなく円柱レンズを備えたクローキングアセンブリ２０を描いている。詳細には、図１に描かれているレンズ１５０、１６０、１７０、１８０はそれぞれ円柱レンズ２５０、２６０、２７０、２８０の形をしている（本開示中では「レンズ２５０、２６０、２７０、２８０」とも呼ばれる）。クローキングアセンブリ１０で描かれたレンズ１５０、１６０、１７０、１８０と同様に、レンズ２５０、２６０、２７０、２８０は各々、図中に示された座標軸のＸ軸に沿った長さ、Ｙ軸に沿った厚みおよびＺ軸に沿った高さを有する。すなわち、図中に示されたＸ軸は、レンズ２５０、２６０、２７０、２８０の長さに沿って延在し、図中に示されたＹ軸はレンズ２５０、２６０、２７０、２８０の厚みに沿って延在し、図中に示されたＺ軸はレンズ２５０、２６０、２７０、２８０の高さに沿って延在する。２つのレンズ２５０、２７０は、物体「Ｏ」に面するようにクローキングアセンブリ２０の物体サイド１２に位置付けされてよく、本開示では物体サイドレンズ２５０、２７０と呼ぶことができる。２つのレンズ２６０、２８０は、クローキングアセンブリ２０により形成された画像「Ｉ」を提供するようにクローキングアセンブリ２０の画像サイド１４に位置付けされてよく、本開示では、画像サイドレンズ２６０、２８０と呼ぶことができる。
【００４３】
レンズ２５０、２６０、２７０、２８０は各々、内向き表面２５２、２６２、２７２、２８２および外向き凸状表面２５４、２６４、２７４、２８４をそれぞれ有する。実施形態において、内向き表面２５２、２６２、２７２、２８２は平面表面である。他の実施形態では、内向き表面２５２、２６２、２７２、２８２は、平面でない表面である。すなわち内向き表面２５２、２６２、２７２、２８２は曲線の表面である。レンズ２５０、２６０、２７０、２８０は各々、頂点軸１６に対し遠位である第１の端部２５６、２６６、２７６、２８６および頂点軸１６に対して近位である第２の端部２５８、２６８、２７８、２８８をそれぞれ有する。内向き表面２５２、２６２、２７２、２８２および外向き凸状表面２５４、２６４、２７４、２８４はそれぞれ第１の端部２５６、２６６、２７６、２８６および第２の端部２５８、２６８、２７８、２８８の間に延在する。
【００４４】
レンズ２６０の個別の斜視図が図４に描かれている。レンズ２６０は、内向き表面２６２および外向き凸状表面２６４を含む。外向き凸状表面２６４は半径「ｒ２」を有する。内向き表面２６２および外向き円筒形表面２６４は、第１の端部２６６と第２の端部２６８の間に延在する。レンズ２６０は、Ｘ方向に沿った長さ「ｌ」、Ｙ方向の厚み（標識なし）、およびＺ方向に延在する高さ「ｈ」を有する。
【００４５】
物体サイドレンズ２５０は、右側（＋Ｘ方向）のクローキングアセンブリ２０に入射する物体Ｏからの光１が物体サイドレンズ２５０を通って伝播し物体サイドレンズ２５０により集束され（光２）、外向きミラー表面１１２に集束される（光３）ように、物体サイドＣＲ反射境界１１０との関係において位置付けされている。中央に位置付けされた外部反射境界１１５は、物体サイドレンズ２５０からの光３が外向きミラー表面１１２によって内向きミラー表面１１７に反射される（光４）ように、物体サイドＣＲ反射境界１１０との関係において位置付けされている。実施形態において、光４は焦線ｆ３に集束され、内向きミラー表面１１７は焦線ｆ３に位置付けされる。すなわち、外向き凸状表面２５４の高さｈ（Ｚ方向）に沿って物体サイドレンズ２５０に入射する光１は、概して、物体サイドレンズ２５０によって集束され、外向きミラー表面１１２によって、Ｚ方向に延在する焦線ｆ３に反射される。
【００４６】
中央に位置付けされた外部反射境界１１５は、外向きミラー表面１１２からの光４が、内向きミラー表面１１７によって反射されこの内向きミラー表面１１７から画像サイド反射境界１２０の外向きミラー表面１２２に発散する（光５）ように、ＣＲ反射境界１１０、１２０との関係において位置付けされてよい。画像サイドＣＲ反射境界１２０は、内向きミラー表面１１７からの光５が、画像サイドレンズ２６０の内向き表面２６２に反射される（光６）ように、中央に位置付けされた外部反射境界１１５との関係において位置付けされている。画像サイドレンズ２６０は、外向きミラー表面１２２からの光６が、画像サイドレンズ２６０を通って伝播し画像サイドレンズ２６０によって集束され（光７）、頂点軸１６に対し概して平行な方向に集束され（光８）、頂点軸１６の右側（＋Ｘ方向）で画像Ｉの一部分を形成するように、画像サイドＣＲ反射境界１２０との関係において位置付けされる。実施形態において、画像サイドレンズ２６０は、光７を元の経路に戻すように、すなわち光１と平行かつ共線的になるように集束させる。
【００４７】
物体サイドレンズ２７０は、クローキングアセンブリ２０において左側（−Ｘ方向）に入射する物体Ｏからの光１が物体サイドレンズ２７０を通って伝播し物体サイドレンズ２７０により集束され（光２）、光３として外向きミラー表面１３２に集束されるように、物体サイドＣＲ反射境界１３０との関係において位置付けされている。中央に位置付けされた外部反射境界１３５は、物体サイドレンズ２７０からの光３が外向きミラー表面１３２によって内向きミラー表面１３７に反射される（光４）ように、物体サイドＣＲ反射境界１３０との関係において位置付けされている。実施形態において、光４は焦線ｆ４に集束され、内向きミラー表面１３７は焦線ｆ４に位置付けされる。すなわち、外向き凸状表面２７４の高さｈ（Ｚ方向）に沿って物体サイドレンズ２７０に入射する光１は、概して、物体サイドレンズ２７０によって集束され、外向きミラー表面１３２によって、Ｚ方向に延在する焦線ｆ４に反射される。
【００４８】
中央に位置付けされた外部反射境界１３５は、外向きミラー表面１３２からの光４が、内向きミラー表面１３７によって反射されこの内向きミラー表面１３７から画像サイド反射境界１４０の外向きミラー表面１４２に発散する（光５）ように、ＣＲ反射境界１３０、１４０との関係において位置付けされてよい。画像サイドＣＲ反射境界１４０は、内向きミラー表面１３７からの光５が、外向きミラー表面１４２により画像サイドレンズ２８０の内向き表面２８２に反射される（光６）ように、中央に位置付けされた外部反射境界１３５との関係において位置付けされている。画像サイドレンズ２８０は、外向きミラー表面１４２からの光６が、画像サイドレンズ２８０を通って伝播し画像サイドレンズ２８０によって集束され（光７）、頂点軸１６に対し概して平行な方向に集束され（光８）、頂点軸１６の左側（−Ｘ方向）で画像Ｉの一部分を形成するように、画像サイドＣＲ反射境界１４０との関係において位置付けされる。実施形態において、画像サイドレンズ２８０は、光７を元の経路に戻すように、すなわち光１と平行かつ共線的になるように集束させる。
【００４９】
図３は、それぞれ物体サイドレンズ２５０、２７０の第２の端部２５８、２７８およびそれぞれ画像サイドレンズ２６０、２８０の第２の端部２６８、２８８を、互いに接触して位置付けされた状態で描いているが、第２の端部２５８、２７８および／または第２の端部２６８、２８８は、クローキングされていない領域または間隙（図示せず）が離隔された第２の端部２５８、２７８および／または離隔された第２の端部２６８、２８８の間に存在するように、Ｘ軸に沿って互いから離隔されていてよい、ということを理解すべきである。このような実施形態においては、クローキングされていない領域より上（＋Ｙ方向）に位置付けされた物体Ｏの部分の画像がクローキングアセンブリ２０の画像サイド１４に提供されることはない。
【００５０】
さらに図３を参照すると、物体「Ｏ」から光１は−Ｙ方向に進み、それぞれ、物体サイドレンズ２５０、２７０の外向き凸状表面２５４、２７４に入射する。クローキングアセンブリ２０の頂点軸１６の右側（＋Ｘ方向）の光１は、光２として物体サイドレンズ２５０により物体サイドＣＲ反射境界１１０の外向きミラー表面１１２に集束され（光３）、その後、光４として焦線ｆ３まで、内向きミラー表面１１７に反射される。光４は、光５として画像サイドＣＲ反射境界１２０の外向きミラー表面１２２に、内向きミラー表面１１７によって反射されこの内向きミラー表面１１７から発散した後、光６として画像サイドレンズ２６０の内向き表面２６２に反射される。光６は、画像サイドレンズ２６０を通して伝搬し画像サイドレンズ２６０により集束され（光７）、−Ｙ方向で光１に対し概して平行に集束され（光８）、頂点軸１６の右（＋Ｘ方向）に位置付けされた物体Ｏの部分に対応する画像Ｉの一部分を形成する。したがって、頂点軸１６の右側の物体Ｏからの光１は、物体Ｏ−物体サイドレンズ２５０−外向きミラー表面１１２−内向きミラー表面１１７−外向きミラー表面１２２−画像サイドレンズ２６０−Ｉ、という光路を有する。
【００５１】
クローキングアセンブリ２０の頂点軸１６の左側（−Ｘ方向）の光１は、光２として物体サイドレンズ２７０により物体サイドＣＲ反射境界１３０の外向きミラー表面１３２（光３）に集束された後、光４として内向きミラー表面１３７の焦線ｆ４に反射される。光４は、光５として、画像サイドＣＲ反射境界１４０の外向きミラー表面１４２に内向きミラー表面１３７によって反射されこの内向きミラー表面１３７から発散した後、光６として画像サイドレンズ２８０の内向き表面２８２に反射される。光６は、画像サイドレンズ２８０を通って伝播し画像サイドレンズ１８０によって集束され（光７）、−Ｙ方向で光１に対し概して平行に集束され（光８）、頂点軸１６の左（−Ｘ方向）に位置付けされた物体Ｏの部分に対応する画像Ｉの一部分を形成する。したがって、頂点軸１６の左側の物体Ｏからの光１は、物体Ｏ−物体サイドレンズ２７０−外向きミラー表面１３２−内向きミラー表面１３７−外向きミラー表面１４２−画像サイドレンズ２８０−Ｉ、という光路を有する。
【００５２】
組み合わせた形で、すなわち、クローキングアセンブリ２０の物体サイド１２にある物体Ｏからの頂点軸１６の右側（＋Ｘ方向）および左側（−Ｘ方向）の光１は、物体Ｏ−物体サイドレンズ２５０、２７０−外向きミラー表面１１２、１３２−内向きミラー表面１１７、１３７−外向きミラー表面１２２、１４２−画像サイドレンズ２６０、２８０−画像、という光路を介して画像サイド１４まで伝播する。すなわち、物体Ｏからの光１は、物体Ｏ−それぞれ物体サイドレンズ２５０、２７０の外向き凸状表面２５４、２７４−それぞれ物体サイドレンズ２５０、２７０の内向き表面２５２、２７２−それぞれ物体サイドＣＲ反射境界１１０、１３０の外向きミラー表面１１２、１３２−それぞれ中央に位置付けされた外部反射境界１１５、１３５の内向きミラー表面１１７、１３７−それぞれ画像サイドＣＲ反射境界１２０、１４０の外向きミラー表面１２２、１４２−それぞれ画像サイドレンズ２６０、２８０の内向き表面２６２、２８２−それぞれ画像サイドレンズ２６０、２８０の外向き凸状表面２６４、２８４−画像Ｉ、という光路を介して伝播する。
【００５３】
ここで図５を参照すると、中央に位置付けされた外部反射境界１１５、１３５以外の部分がクローキングアセンブリ１０に類似するクローキングアセンブリの実施形態が描かれている。すなわち、少なくとも１つの外部反射境界が、内向きミラー表面を備えた物体サイド外部反射境界と、外向きミラー表面を備えた中央に位置付けされた反射境界と、内向きミラー表面を備えた画像サイド外部反射境界とを含んでいるクローキングアセンブリ３０が、図５に描かれている。クローキングアセンブリ３０は、物体サイド３２、画像サイド３４および４つのＣＲ反射境界３１０、３２０、３３０、３４０を含む。物体サイド３２は、２等分軸３５より上（＋Ｙ方向）に位置付けされ、画像サイド３４は、２等分軸３５より下（−Ｙ方向）に位置付けされる。すなわち、２等分軸３５は物体サイド３２と画像サイド３４の間に延在し、これらの間を線引きする。４つのＣＲ反射境界３１０、３２０、３３０、３４０の各々は、図中に示されたＸ軸に沿った長さ、Ｙ軸に沿った幅、およびＺ軸に沿った高さを有する。すなわち、図中に示されたＸ軸は、４つのＣＲ反射境界３１０、３２０、３３０、３４０の長さに沿って延在し、図中に示されたＹ軸は、４つのＣＲ反射境界３１０、３２０、３３０、３４０の幅に沿って延在し、図中に示されたＺ軸は、４つのＣＲ反射境界３１０、３２０、３３０、３４０の高さに沿って延在する。２つのＣＲ反射境界３１０、３３０は、物体「Ｏ」に面するようにクローキングアセンブリ３０の物体サイド３２に位置付けされてよく、本開示中では、物体サイドＣＲ反射境界３１０、３３０と呼ぶことができる。２つのＣＲ反射境界３２０、３４０は、クローキングアセンブリ３０によって形成される画像「Ｉ」を提供するように、クローキングアセンブリ３０の画像サイド３４に位置付けされてよく、本開示中では画像サイドＣＲ反射境界３２０、３４０と呼ぶことができる。
【００５４】
ＣＲ反射境界３１０、３２０、３３０、３４０は各々、外向きミラー表面３１２、３２２、３３２、３４２および内向き表面３１４、３２４、３３４、３４４をそれぞれ有している。実施形態において、内向き表面３１４、３２４、３３４、３４４の１つ以上は、不透明な表面、またはミラー表面であり得る。外向きミラー表面３１２、３２２、３３２、３４２は、外向きミラー表面３１２、３２２、３３２、３４２に入射する光がそこから反射されるように、全方向フォトニック結晶またはミラーで製造され得る。
【００５５】
ＣＲ反射境界３１０、３２０、３３０、３４０はそれぞれ、頂点端部３１６、３２６、３３６、３４６および側方端部３１８、３２８、３３８、３４８を有することができる。側方端部３１８、３２８、３３８、３４８はそれぞれ、頂点端部３１６、３２６、３３６、３４６から離隔されており、ＣＲ反射境界３１０、３２０、３３０、３４０はそれぞれ、頂点端部３１６、３２６、３３６、３４６と側方端部３１８、３２８、３３８、３４８の間に延在している。実施形態において、２つの物体サイドＣＲ反射境界３１０、３３０の頂点端部３１６、３３６はそれぞれ、頂点３９０で合流または交差し、代替的にまたは付加的に、２つの画像サイドＣＲ平面反射境界３２０、３４０の頂点端部３２６、３４６はそれぞれ、頂点３９２で合流または交差する。このような実施形態において、頂点軸３６は、頂点３９０および頂点３９２を二等分し、クローキングアセンブリ３０の右側（＋Ｘ方向）と左側（−Ｘ方向）の間の中心線であり得る。他の実施形態において、２つの物体サイドＣＲ反射境界３１０、３３０の頂点端部３１６、３３６はそれぞれ、互いに離隔され、２つの画像サイドＣＲ反射境界３２０、３４０の頂点端部３２６、３４６はそれぞれ互いに離隔され、こうしてクローキングされていない領域または間隙（図示せず）が、離隔された頂点端部３１６、３３６および離隔された頂点端部３２６、３４６の間に存在するようになっている。このような実施形態においては、クローキングされていない領域より上（＋Ｙ方向）に位置付けされた物体Ｏの部分の画像が、クローキングアセンブリ３０の画像サイド３４に提供されることはない。
【００５６】
実施形態において、図５に描かれているように側方端部３１８は側方端部３２８に隣接して位置付けされてよく、この側方端部３２８に接合され得、側方端部３３８は側方端部３４８に隣接して位置付けされてよく、この側方端部３４８に接合され得る。他の実施形態において、側方端部３１８、３３８は、側方端部３２８、３４８から離隔（Ｙ方向）されていてよい（図示せず）。
【００５７】
実施形態において、２つの物体サイドＣＲ反射境界３１０、３３０および２つの画像サイドＣＲ反射境界３２０、３４０は、少なくとも部分的に内向き表面３１４、３３４、３２４、３４４により囲まれているクローキング領域３００を形成する。２つの物体サイドＣＲ反射境界３１０、３３０および２つの画像サイドＣＲ反射境界３２０、３４０は、図中の座標軸のＺ方向で高さ「ｈ」（図８）を有し、クローキング領域３００内部で反射または伝達される光は、内向き表面３１４、３３４、３２４、３４４を貫通しない。したがって、クローキング領域３００の内部に位置設定された部材（例えばクローキングされた部材）は、＋Ｙ方向で画像サイド３４からクローキングアセンブリ３０を検分する観察者には見えない。
【００５８】
さらに図５を参照すると、クローキングアセンブリは４つのレンズ３５０、３６０、３７０、３８０を含み得る。４つのレンズ３５０、３６０、３７０、３８０の各々は、図中に示された座標軸のＸ軸に沿った長さ、Ｙ軸に沿った厚みおよびＺ軸に沿った高さを有する。すなわち、図中に示されたＸ軸は、４つのレンズ３５０、３６０、３７０、３８０の長さに沿って延在し、図中に示されたＹ軸は４つのレンズ３５０、３６０、３７０、３８０の厚みに沿って延在し、図中に示されたＺ軸は４つのレンズ３５０、３６０、３７０、３８０の高さに沿って延在する。２つのレンズ３５０、３７０は、物体「Ｏ」に面するようにクローキングアセンブリ３０の物体サイド３２に位置付けされてよく、本開示では物体サイドレンズ３５０、３７０と呼ぶことができる。２つのレンズ３６０、３８０は、クローキングアセンブリ３０により形成された画像「Ｉ」を提供するようにクローキングアセンブリ３０の画像サイド３４に位置付けされてよく、本開示では、画像サイドレンズ３６０、３８０と呼ぶことができる。
【００５９】
レンズ３５０、３６０、３７０、３８０は各々、内向き表面３５２、３６２、３７２、３８２および外向き凸状表面３５４、３６４、３７４、３８４をそれぞれ有する。実施形態において、内向き表面３５２、３６２、３７２、３８２は平面表面である。他の実施形態では、内向き表面３５２、３６２、３７２、３８２は、平面でない表面である。すなわち内向き表面３５２、３６２、３７２、３８２は曲線の表面である。レンズ３５０、３６０、３７０、３８０は各々、頂点軸３６に対し遠位である第１の端部３５６、３６６、３７６、３８６および頂点軸３６に対して近位である第２の端部３５８、３６８、３７８、３８８をそれぞれ有する。内向き表面３５２、３６２、３７２、３８２および外向き凸状表面３５４、３６４、３７４、３８４はそれぞれ第１の端部３５６、３６６、３７６、３８６および第２の端部３５８、３６８、３７８、３８８の間に延在する。実施形態において、レンズ３５０，３６０，３７０，３８０は、図２および５に描かれているような色消しレンズである。
【００６０】
クローキングアセンブリ３０は、一対の物体サイド外部反射境界３５１、３７１、一対の中央に位置付けされた反射境界３５５、３７５（明確さのため図６では標識されている）、および、一対の画像サイド外部反射境界３６１、３８１を含んでいてよい。物体サイド外部反射境界３５１、３７１は、それぞれＣＲ反射境界３１０、３３０から離隔されており、かつこれらのＣＲ反射境界の近位に位置付けされている。物体サイド外部反射境界３５１は、物体サイドＣＲ反射境界３１０から外向き（＋Ｘ方向）に位置付けされ、外向きミラー表面３１２に面する内向きミラー表面３５３を有する。物体サイド外部反射境界３７１は、物体サイドＣＲ反射境界３３０から外向き（−Ｘ方向）に位置付けされ、外向きミラー表面３３２に面する内向きミラー表面３７３を有する。画像サイド外部反射境界３６１、３８１は、それぞれＣＲ反射境界３２０、３４０から離隔され、これらのＣＲ反射境界に近位に位置付けされている。画像サイド外部反射境界３６１は、画像サイドＣＲ反射境界３２０から外向き（＋Ｘ方向）に位置付けされ、外向きミラー表面３２２に面する内向きミラー表面３６３を有する。画像サイド反射境界３８１は、画像サイドＣＲ反射境界３４０から外向き（−Ｘ方向）に位置付けされ、外向きミラー表面３４２に面する内向きミラー表面３８３を有する。
【００６１】
中央に位置付けされた反射境界３５５は、物体サイド外部反射境界３５１と画像サイド外部反射境界３６１の間に位置付けされてよい。中央に位置付けされた反射境界３５５は、物体サイド外部反射境界３５１の内向きミラー表面３５３および画像サイド外部反射境界３６１の内向きミラー表面３６３に面する外向きミラー表面３５７（図６）を含む。同様に、中央に位置付けされた反射境界３７５は、物体サイド外部反射境界３７１と画像サイド外部反射境界３８１の間に位置付けされてよい。中央に位置付けされた反射境界３７５は、物体サイド外部反射境界３７１の内向きミラー表面３７３および画像サイド外部反射境界３８１の内向きミラー表面３８３に面する外向きミラー表面３７７図６を含む。
【００６２】
物体サイドレンズ３５０は、右側（＋Ｘ方向）のクローキングアセンブリ３０に入射する物体Ｏからの光１が物体サイドレンズ３５０を通って伝播し物体サイドレンズ３５０により集束され（光２）、外向きミラー表面３１２に集束される（光３）ように、物体サイドＣＲ反射境界３１０との関係において位置付けされている。物体サイド外部反射境界３５１は、物体サイドレンズ３５０からの光３が外向きミラー表面３１２によって内向きミラー表面３５３に反射される（光４）ように、物体サイドＣＲ反射境界３１０との関係において位置付けされている。中央に位置付けされた反射境界３５５は、光４が内向きミラー表面３５３により外向きミラー表面３５７に反射される（光５）ように物体サイド外部反射境界３５１との関係において位置付けされる。実施形態において、光５は焦線ｆ５に集束され、外向きミラー表面３５７は焦線ｆ５に位置付けされる。すなわち、外向き凸状表面３５４の高さｈ（Ｚ方向）に沿って物体サイドレンズ３５０に入射する光１は、概して、物体サイドレンズ３５０によって集束され、外向きミラー表面３１２および内向きミラー表面３５３によって、Ｚ方向に延在する焦線ｆ５に反射される。
【００６３】
画像サイド外部反射境界３６１は、光５が外向きミラー表面３５７によって反射され内向きミラー表面３６３に発散する（光６）ように、中央に位置付けされた反射境界３５５との関係において位置付けされる。画像サイドＣＲ反射境界３２０は、光６が内向きミラー表面３６３により外向きミラー表面３２２に反射される（光７）ように、画像サイド外部反射境界３６１との関係において位置付けされる。画像サイドレンズ３６０は、外向きミラー表面３２２から反射された光７（光８）が画像サイドレンズを通って伝播し画像サイドレンズ３６０により集束され（光９）、頂点軸３６に対し概して平行な方向に集束され（光１１）、頂点軸３６の右側（＋Ｘ方向）で画像Ｉの一部分を形成するように、画像サイドＣＲ反射境界３２０との関係において位置付けされている。実施形態において、画像サイドレンズ３６０は、光９を原初の経路に戻すように、すなわち光１と平行かつ共線的になるように集束させる。
【００６４】
物体サイドレンズ３７０は、クローキングアセンブリ３０において左側（−Ｘ方向）に入射する物体Ｏからの光１が物体サイドレンズ３７０を通って伝播し物体サイドレンズ３７０により集束され（光２）、外向きミラー表面３３２に集束される（光３）ように、物体サイドＣＲ反射境界３３０との関係において位置付けされている。物体サイド外部反射境界３７１は、物体サイドレンズ３７０からの光３が外向きミラー表面３３２によって内向きミラー表面３７３に反射される（光４）ように、物体サイドＣＲ反射境界３３０との関係において位置付けされている。中央に位置付けされた反射境界３７５は、光４が内向きミラー表面３７３によって外向きミラー表面３７７に反射される（光５）ように、物体サイド外部反射境界３７１との関係において位置付けされる。実施形態において、光５は焦線ｆ６に集束され、外向きミラー表面３７７は焦線ｆ６に位置付けされる。すなわち、外向き凸状表面３７４の高さｈ（Ｚ方向）に沿って物体サイドレンズ３７０に入射する光１は、概して、物体サイドレンズ３７０によって集束され、外向きミラー表面３３２および内向きミラー表面３７３によって、Ｚ方向に延在する焦線ｆ６に反射される。
【００６５】
画像サイド外部反射境界３８１は、光５が、外向きミラー表面３７７によって反射されこの外向きミラー表面３７７から内向きミラー表面３８３に発散する（光６）ように、中央に位置付けされた反射境界３７５との関係において位置付けされてよい。画像サイドＣＲ反射境界３４０は、光６が、内向きミラー表面３８３により外向きミラー表面３２４に反射される（光７）ように、画像サイド外部反射境界３８１との関係において位置付けされている。画像サイドレンズ３８０は、外向きミラー表面３４２から反射された光７（光８）が、画像サイドレンズ３８０を通って伝播し画像サイドレンズ３８０により集束され（光９）、頂点軸３６に対し概して平行な方向に集束され（光１１）、頂点軸３６の左側（−Ｘ方向）で画像Ｉの一部分を形成するように、画像サイドＣＲ反射境界３４０との関係において位置付けされる。実施形態において、画像サイドレンズ３８０は、光９を元の経路に戻すように、すなわち光１と平行かつ共線的になるように集束させる。
【００６６】
図５は、それぞれ物体サイドレンズ３５０、３７０の第２の端部３５８、３７８およびそれぞれ画像サイドレンズ３６０、３８０の第２の端部３６８、３８８を、互いに接触して位置付けされた状態で描いているが、第２の端部３５８、３７８および／または第２の端部３６８、３８８は、クローキングされていない領域または間隙（図示せず）が離隔された第２の端部３５８、３７８および／または離隔された第２の端部３６８、３８８の間に存在するように、Ｘ軸に沿って互いから離隔されていてよい、ということを理解すべきである。このような実施形態においては、クローキングされていない領域より上（＋Ｙ方向）に位置付けされた物体Ｏの部分の画像がクローキングアセンブリ３０の画像サイド３４に提供されることはない。
【００６７】
さらに図５を参照すると、物体「Ｏ」から光１は−Ｙ方向に進み、それぞれ、物体サイドレンズ３５０、３７０の外向き凸状表面３５４、３７４に入射する。クローキングアセンブリ３０の頂点軸３６の右側（＋Ｘ方向）の光１は、光２として物体サイドレンズ３５０により物体サイドＣＲ反射境界３１０の外向きミラー表面３１２に集束される（光３）。光３は、物体サイド外部反射境界３５１の内向きミラー表面３５３に光４として外向きミラー表面３１２によって反射され、内向きミラー表面３５３は光４を、中央に位置付けされた反射境界３５５の外向きミラー表面３５７の焦線ｆ５に反射する（光５）。光５は、光６として画像サイド外部反射境界３６１の内向きミラー表面３６３に外向きミラー表面３５７によって反射され発散する。光６は、光７として画像サイドＣＲ反射境界３２０の外向きミラー表面３２２に、画像サイド外部反射境界３６１の内向きミラー表面３６３により反射される。光７は、光８として画像サイドレンズ３６０の内向き表面３６２に、外向きミラー表面３２２によって反射される。光８は、光９として画像サイドレンズ３６０によって集束される。光９は−Ｙ方向で光１１として光１に対し概して平行に画像サイドレンズ３６０から伝播し、頂点軸３６の右（＋Ｘ方向）に位置付けされた物体Ｏの部分に対応する画像Ｉの一部分を形成する。したがって、頂点軸３６の右側の物体Ｏからの光１は、物体Ｏ−物体サイドレンズ３５０−外向きミラー表面３１２−内向きミラー表面３５３−外向きミラー表面３５７−内向きミラー表面３６３−外向きミラー表面３２２−画像サイドレンズ３６０−Ｉという光路を有する。
【００６８】
クローキングアセンブリ３０の頂点軸３６の左側（−Ｘ方向）の光１は、光２として物体サイドレンズ３７０により物体サイドＣＲ反射境界３３０の外向きミラー表面３３２に集束される（光３）。光３は、物体サイド外部反射境界３７１の内向きミラー表面３７３に光４として外向きミラー表面３３２によって反射され、内向きミラー表面３７３は光４を、中央に位置付けされた反射境界３７５の外向きミラー表面３７７の焦線ｆ６に反射する（光５）。光５は、光６として画像サイド外部反射境界３８１の内向きミラー表面３８３に外向きミラー表面３７７によって反射され発散する。光６は、光７として画像サイドＣＲ反射境界３４０の外向きミラー表面３４２に、画像サイド外部反射境界３８１の内向きミラー表面３８３により反射される。光７は、光８として画像サイドレンズ３８０の内向き表面３８２に、外向きミラー表面３４２によって反射される。光８は、光９として画像サイドレンズ３８０によって集束される。光９は−Ｙ方向で光１１として光１に対し概して平行に画像サイドレンズ３８０から伝播し、頂点軸３６の左（−Ｘ方向）に位置付けされた物体Ｏの部分に対応する画像Ｉの一部分を形成する。したがって、頂点軸３６の左側の物体Ｏからの光１は、物体Ｏ−物体サイドレンズ３７０−外向きミラー表面３３２−内向きミラー表面３７３−外向きミラー表面３７７−内向きミラー表面３８３−外向きミラー表面３４２−画像サイドレンズ３８０−Ｉという光路を有する。
【００６９】
組み合わせた形で、すなわち、クローキングアセンブリ３０の物体サイド３２の物体Ｏからの頂点軸３６の右側（＋Ｘ方向）および左側（−Ｘ方向）の光１は、物体Ｏ−物体サイドレンズ３５０、３７０−外向きミラー表面３１２、３３２−内向きミラー表面３５３、３７３−外向きミラー表面３５７、３７７−内向きミラー表面３６３、３８３−外向きミラー表面３２２、３４２−画像サイドレンズ３６０、３８０−画像という光路を介して、画像サイド３４まで伝播する。すなわち、物体Ｏからの光１は、物体Ｏ−それぞれ物体サイドレンズ３５０、３７０の外向き凸状表面３５４、３７４−それぞれ物体サイドレンズ３５０、３７０の内向き表面３５２、３７２−それぞれ物体サイドＣＲ反射境界３１０、３３０の外向きミラー表面３１２、３３２−それぞれ物体サイド外部反射境界３５１、３７１の内向きミラー表面３５３、３７３−それぞれ中央に位置付けされた反射境界３５５、３７５の外向きミラー表面３５７、３７７−それぞれ画像サイド外部反射境界３６１、３８１の内向きミラー表面３６３、３８３−それぞれ画像サイドＣＲ反射境界３２０、３４０の外向きミラー表面３２２、３４２−それぞれ画像サイドレンズ３６０、３８０の内向き表面３６２、３８２−それぞれ画像サイドレンズ３６０、３８０の外向き凸状表面３６４、３８４−画像Ｉという光路を介して伝播する。
【００７０】
図５は、色消しレンズを含むクローキングアセンブリ３０を描いているものの、レンズ３５０、３６０、３７０、３８０は色消しレンズでなくてもよいということを理解すべきである。例えば、図６は、色消しレンズではなく円柱レンズを備えたクローキングアセンブリ４０を描いている。詳細には、図５に描かれているレンズ３５０、３６０、３７０、３８０はそれぞれ円柱レンズ４５０、４６０、４７０、４８０の形をしている（本開示中では「レンズ４５０、４６０、４７０、４８０」とも呼ばれる）。クローキングアセンブリ３０で描かれたレンズ３５０、３６０、３７０、３８０と同様に、レンズ４５０、４６０、４７０、４８０は各々、図中に示された座標軸のＸ軸に沿った長さ、Ｙ軸に沿った厚みおよびＺ軸に沿った高さを有する。すなわち、図中に示されたＸ軸は、レンズ４５０、４６０、４７０、４８０の長さに沿って延在し、図中に示されたＹ軸はレンズ４５０、４６０、４７０、４８０の厚みに沿って延在し、図中に示されたＺ軸はレンズ４５０、４６０、４７０、４８０の高さに沿って延在する。２つのレンズ４５０、４７０は、物体「Ｏ」に面するようにクローキングアセンブリ４０の物体サイド３２に位置付けされてよく、本開示では物体サイドレンズ４５０、４７０と呼ぶことができる。２つのレンズ４６０、４８０は、クローキングアセンブリ４０により形成された画像「Ｉ」を提供するようにクローキングアセンブリ４０の画像サイド３４に位置付けされてよく、本開示では、画像サイドレンズ４６０、４８０と呼ぶことができる。
【００７１】
レンズ４５０、４６０、４７０、４８０は各々、内向き表面４５２、４６２、４７２、４８２および外向き凸状表面４５４、４６４、４７４、４８４をそれぞれ有する。実施形態において、内向き表面４５２、４６２、４７２、４８２は平面表面である。他の実施形態では、内向き表面４５２、４６２、４７２、４８２は、平面でない表面である。すなわち内向き表面４５２、４６２、４７２、４８２は曲線の表面である。レンズ４５０、４６０、４７０、４８０は各々、頂点軸３６に対し遠位である第１の端部４５６、４６６、４７６、４８６および頂点軸３６に対して近位である第２の端部４５８、４６８、４７８、４８８をそれぞれ有する。内向き表面４５２、４６２、４７２、４８２および外向き凸状表面４５４、４６４、４７４、４８４はそれぞれ第１の端部４５６、４６６、４７６、４８６および第２の端部４５８、４６８、４７８、４８８の間に延在する。
【００７２】
さらに図６を参照すると、物体サイドレンズ４５０は、右側（＋Ｘ方向）のクローキングアセンブリ４０に入射する物体Ｏからの光１が物体サイドレンズ４５０を通って伝播し物体サイドレンズ４５０により集束され（光２）、外向きミラー表面３１２に集束される（光３）ように、物体サイドＣＲ反射境界３１０との関係において位置付けされている。物体サイド外部反射境界３５１は、物体サイドレンズ４５０からの光３が外向きミラー表面３１２によって内向きミラー表面３５３に反射される（光４）ように、物体サイドＣＲ反射境界３１０との関係において位置付けされている。中央に位置付けされた反射境界３５５は、光４が内向きミラー表面３５３によって外向きミラー表面３５７に反射される（光５）ように、物体サイド外部反射境界３５１との関係において位置付けされる。実施形態において、光５は焦線ｆ７に集束され、外向きミラー表面３５７は焦線ｆ７に位置付けされる。すなわち、外向き凸状表面４５４の高さｈ（Ｚ方向）に沿って物体サイドレンズ４５０に入射する光１は、概して、物体サイドレンズ４５０によって集束され、外向きミラー表面３１２および内向きミラー表面３５３によって、Ｚ方向に延在する焦線ｆ７に反射される。
【００７３】
画像サイド外部反射境界３６１は、光５が、外向きミラー表面３５７によって反射されこの外向きミラー表面３５７から内向きミラー表面３６３に発散する（光６）ように、中央に位置付けされた反射境界３５５との関係において位置付けされてよい。画像サイドＣＲ反射境界３２０は、光６が、内向きミラー表面３６３により外向きミラー表面３２２に反射される（光７）ように、画像サイド外部反射境界３６１との関係において位置付けされている。画像サイドレンズ４６０は、外向きミラー表面３２２から反射された光７（光８）が、画像サイドレンズ４６０を通って伝播し画像サイドレンズ４６０により集束され（光９）、頂点軸３６に対し概して平行な方向に集束され（光１１）、頂点軸３６の右側（＋Ｘ方向）で画像Ｉの一部分を形成するように、画像サイドＣＲ反射境界３２０との関係において位置付けされる。実施形態において、画像サイドレンズ４６０は、光９を元の経路に戻すように、すなわち光１と平行かつ共線的になるように集束させる。
【００７４】
物体サイドレンズ４７０は、クローキングアセンブリ３０において左側（−Ｘ方向）に入射する物体Ｏからの光１が物体サイドレンズ４７０を通って伝播し物体サイドレンズ４７０により集束され（光２）、外向きミラー表面３３２に集束される（光３）ように、物体サイドＣＲ反射境界３３０との関係において位置付けされている。物体サイド外部反射境界３７１は、物体サイドレンズ４７０からの光３が外向きミラー表面３３２によって内向きミラー表面３７３に反射される（光４）ように、物体サイドＣＲ反射境界３３０との関係において位置付けされている。中央に位置付けされた反射境界３７５は、光４が内向きミラー表面３７３によって外向きミラー表面３７７に反射される（光５）ように、物体サイド外部反射境界３７１との関係において位置付けされる。実施形態において、光５は焦線ｆ８に集束され、外向きミラー表面３７７は焦線ｆ８に位置付けされる。すなわち、外向き凸状表面４７４の高さｈ（Ｚ方向）に沿って物体サイドレンズ４７０に入射する光１は、概して、物体サイドレンズ４７０によって集束され、外向きミラー表面３３２および内向きミラー表面３７３によって、Ｚ方向に延在する焦線ｆ８に反射される。
【００７５】
画像サイド外部反射境界３８１は、光５が、外向きミラー表面３７７によって反射されこの外向きミラー表面３７７から内向きミラー表面３８３に発散する（光６）ように、中央に位置付けされた反射境界３７５との関係において位置付けされてよい。画像サイドＣＲ反射境界３４０は、光６が、内向きミラー表面３８３により外向きミラー表面３２４に反射される（光７）ように、画像サイド外部反射境界３８１との関係において位置付けされている。画像サイドレンズ４８０は、外向きミラー表面３４２から反射された光７（光８）が、画像サイドレンズ４８０を通って伝播し画像サイドレンズ４８０により集束され（光９）、頂点軸３６に対し概して平行な方向に集束され（光１１）、頂点軸３６の左側（−Ｘ方向）で画像Ｉの一部分を形成するように、画像サイドＣＲ反射境界３４０との関係において位置付けされる。実施形態において、画像サイドレンズ４８０は、光９を元の経路に戻すように、すなわち光１と平行かつ共線的になるように集束させる。
【００７６】
図６は、それぞれ物体サイドレンズ４５０、４７０の第２の端部４５８、４７８およびそれぞれ画像サイドレンズ４６０、４８０の第２の端部４６８、４８８を、互いに接触して位置付けされた状態で描いているが、第２の端部４５８、４７８および／または第２の端部４６８、４８８は、クローキングされていない領域または間隙（図示せず）が離隔された第２の端部４５８、４７８および／または離隔された第２の端部４６８、４８８の間に存在するように、Ｘ軸に沿って互いから離隔されていてよい、ということを理解すべきである。このような実施形態においては、クローキングされていない領域より上（＋Ｙ方向）に位置付けされた物体Ｏの部分の画像がクローキングアセンブリ４０の画像サイド３４に提供されることはない。
【００７７】
物体「Ｏ」から光１は−Ｙ方向に進み、それぞれ、物体サイドレンズ４５０、４７０の外向き凸状表面４５４、４７４に入射する。クローキングアセンブリ４０の頂点軸３６の右側（＋Ｘ方向）の光１は、光２として物体サイドレンズ４５０により物体サイドＣＲ反射境界３１０の外向きミラー表面３１２に集束される（光３）。光３は、物体サイド外部反射境界４５１の内向きミラー表面４５３に光４として外向きミラー表面３１２によって反射され、内向きミラー表面４５３は光４を、中央に位置付けされた反射境界４５５の外向きミラー表面４５７の焦線ｆ７に反射する（光５）。光５は、光６として画像サイド外部反射境界４６１の内向きミラー表面４６３に外向きミラー表面４５７によって反射され発散する。光６は、光７として画像サイドＣＲ反射境界３２０の外向きミラー表面３２２に、画像サイド外部反射境界３６１の内向きミラー表面３６３により反射される。光７は、光８として画像サイドレンズ４６０の内向き表面４６２に、外向きミラー表面３２２によって反射される。光８は、光９として画像サイドレンズ４６０によって集束される。光９は−Ｙ方向で光１１として光１に対して概して平行に画像サイドレンズ４６０から伝播し、頂点軸４６の右（＋Ｘ方向）に位置付けされた物体Ｏの部分に対応する画像Ｉの一部分を形成する。したがって、頂点軸３６の右側の物体Ｏからの光１は、物体Ｏ−物体サイドレンズ４５０−外向きミラー表面３１２−内向きミラー表面３５３−外向きミラー表面３５７−内向きミラー表面３６３−外向きミラー表面３２２−画像サイドレンズ４６０−Ｉという光路を有する。
【００７８】
クローキングアセンブリ４０の頂点軸３６の左側（−Ｘ方向）の光１は、光２として物体サイドレンズ４７０により物体サイドＣＲ反射境界３３０の外向きミラー表面３３２に集束される（光３）。光３は、物体サイド外部反射境界３７１の内向きミラー表面３７３に光４として外向きミラー表面３３２によって反射され、内向きミラー表面３７３は光４を、中央に位置付けされた反射境界３７５の外向きミラー表面３７７の焦線ｆ８に反射する（光５）。光５は、光６として画像サイド外部反射境界３８１の内向きミラー表面３８３に外向きミラー表面３７７によって反射され発散する。光６は、光７として画像サイドＣＲ反射境界３４０の外向きミラー表面３４２に、画像サイド外部反射境界３８１の内向きミラー表面３８３により反射される。光７は、光８として画像サイドレンズ４８０の内向き表面４８２に、外向きミラー表面３４２によって反射される。光８は、光９として画像サイドレンズ４８０によって集束される。光９は、−Ｙ方向で光１１として光１に対して概して平行に画像サイドレンズ４８０から伝播し、頂点軸３６の左（−Ｘ方向）に位置付けされた物体Ｏの部分に対応する画像Ｉの一部分を形成する。したがって、頂点軸３６の左側の物体Ｏからの光１は、物体Ｏ−物体サイドレンズ４７０−外向きミラー表面３３２−内向きミラー表面３７３−外向きミラー表面３７７−内向きミラー表面３８３−外向きミラー表面３４２−画像サイドレンズ４８０−Ｉ、という光路を有する。
【００７９】
組み合わせた形で、すなわち、クローキングアセンブリ４０の物体サイド３２の物体Ｏからの頂点軸３６の右側（＋Ｘ方向）および左側（−Ｘ方向）の光１は、物体Ｏ−物体サイドレンズ４５０、４７０−外向きミラー表面３１２、３３２−内向きミラー表面３１７、３３７−外向きミラー表面３５７、３７７−内向きミラー表面３６３、３８３−外向きミラー表面３２２、３４２−画像サイドレンズ４６０、４８０−画像、という光路を介して画像サイド３４まで伝播する。すなわち、物体Ｏからの光１は、物体Ｏ−それぞれ物体サイドレンズ４５０、４７０の外向き凸状表面４５４、４７４−それぞれ物体サイドレンズ４５０、４７０の内向き表面４５２、４７２−それぞれ物体サイドＣＲ反射境界３１０、３３０の外向きミラー表面３１２、３３２−それぞれ物体サイド外部反射境界３５１、３７１の内向きミラー表面３５３、３７３−それぞれ中央に位置付けされた反射境界３５５、３７５の外向きミラー表面３５７、３７７−それぞれ画像サイド外部反射境界３６１、３８１の内向きミラー表面３６３、３８３−それぞれ画像サイドＣＲ反射境界３２０、３４０の外向きミラー表面３２２、３４２−それぞれ画像サイドレンズ４６０、４８０の内向き表面４６２、４８２−それぞれ画像サイドレンズ４６０、４８０の外向き凸状表面４６４、４８４−画像Ｉ、という光路を介して伝播する。
【００８０】
ここで図１、５および図７〜８を参照すると、図１および５に関連して論述された実施形態に係るクローキングデバイスの頂面斜視図および側面図がそれぞれ図７および８に示されている。具体的には、図７は、クローキングアセンブリ１０、３０のクローキング領域内部の支柱「Ｃ」の形をした部材および＋Ｙ方向でクローキングアセンブリ１０、３０の物体サイド１２、３２で支柱Ｃの背後に位置設定された自動車「Ａ」の頂面斜視図である。支柱Ｃは、クローキングデバイスの高さｈよりも大きいＺ方向の高さ寸法（＋Ｚ方向で増大する高さ）を有する。図８は、図１および５に示されているクローキングアセンブリ１０、３０の＋Ｙ方向からの側面図である。ボックス５０は、クローキングアセンブリ１０の中央に位置付けされた外部反射境界１１５、１３５およびクローキングアセンブリ３０の物体サイド外部反射境界３５１、３７１、中央に位置付けされた反射境界３５５、３７５および画像サイド外部反射境界３６１、３８１を表す。図８は同様に、＋Ｙ方向でクローキングアセンブリ１０を検分する観察者にとって、クローキング領域内にある支柱Ｃの部分が視認不能であり、＋Ｙ方向で支柱Ｃの背後に位置設定された自動車が視認可能であることを示している。したがって、クローキング領域内部に位置付けされた支柱Ｃは、クローキング領域１０、３０の画像サイド１４、３４を検分する観察者には視認不能であり、画像サイド１４、３４を検分する観察者には、自動車Ａ全体の画像が視認可能である。図７および８中の支柱Ｃは、ＣＲ反射境界１１０〜１４０、３１０〜３４０から分離している、すなわち支柱Ｃはクローキングアセンブリ１０、３０とは別個の物体であるものの、支柱Ｃが構造的にクローキングアセンブリ１０、３０の一部であり、外向きミラー表面を備えたＣＲ反射境界を提供するかまたはこのＣＲ反射境界と同等である外部表面を有することができる、ということを認識すべきである。
【００８１】
図９を参照すると、クローキングデバイスによってクローキングされているビークルのＡピラーの実施形態が示されている。詳細には、図９は、ビークルＶのＡピラーＰの一部分をクローキングする、本開示に開示された１つ以上の実施形態に係るクローキングデバイス１９を示す。ＡピラーＰの一部分がクローキングデバイス１９のクローキング領域（図示せず）内の位置付けされており、ＡピラーＰの一部分がクローキングデバイスを超えて延在しトリムＴでカバーされている。クローキングデバイス１９の物体サイドでビークルＶの外側に例示されているのは、歩行者の形をした標的物体「Ｏ」である。歩行者Ｏの一部分は、ビークルＶのサイドウィンドウを通して視認可能であり、歩行者の一部分はクローキングデバイス１９によってクローキングされたＡピラーＰを「通して」視認可能である。クローキングデバイス１９は、歩行者Ｏから反射された光を、クローキングデバイス１９のクローキング領域内に位置付けされたＡピラーＰの周りに方向転換させ、歩行者Ｏの方を見ているビークルＶの乗員にとって視認可能である歩行者Ｏの画像Ｉをクローキングデバイス１９の画像サイドでビークルの内部に形成する。したがって、歩行者Ｏからの光は、ＡピラーＰを通過するが如く見え、典型的にＡピラーＰにより作り出される死角は、クローキングデバイス１９のクローキング領域内部にＡピラーＰの部分が位置付けされていない場合ほどには存在しない。実施形態において、ＡピラーＰ自体がＣＲとして役立つ、すなわちＡピラーＰは歩行者Ｏからの光をＡピラーＰの周りに方向転換するのを補助する１つ以上の外向きミラー表面を備えた外部表面を有する。クローキングデバイス１９を用いたＡピラーＰのクローキングおよびＡピラーＰにより生成される死角の迂回が、メタマテリアル、ビデオ画像、カメラ、高性能電子機器を使用することなく行なわれる、ということを認識すべきである。
【００８２】
実施例
ここで図１０Ａ〜１０Ｄを参照すると、クローキングアセンブリ１０の物体サイド１２に位置付けされたエンブレムの形をした物体の、市販のソフトウェアプログラム（Ｚｅｍａｘ  Ｏｐｔｉｃ  Ｓｔｕｄｉｏ）を用いてシミュレートされた画像サイド１４から見た画像が描かれている。レンズ１５０、１６０、１７０、１８０は、市販の色消しダブレットレンズ（ＡＣ２５４−０３０、Ｔｈｏｒｌａｂｓ）であった。全デバイス面積と隠された領域についての縦横比は、それぞれ０．９１および０．７７であり、クローキング比（すなわち隠された面積／合計デバイス面積）は約１８％であった。図１０Ａは、＋Ｙ方向からの、すなわち頂点軸１６に沿って＋Ｙ方向で画像Ｉを検分する人から見たクローキングアセンブリ１０の視角と頂点軸１６との間に全く不整合がない（０°）物体の画像を描いている。すなわち本開示中で使用される不整合なる用語は、クローキングアセンブリの頂点軸と、図中の＋Ｙ方向により描かれているように画像サイドからクローキングアセンブリを検分する観察者の視線とによって画定される角度（本開示においては視角とも呼ばれる）を意味する。図１０Ｂは、頂点軸１６とクローキングアセンブリ１０の視角の間に１°の不整合を有する物体の画像を描いている。図１０Ｃは、頂点軸１６とクローキングアセンブリ１０の視角の間に２°の不整合を有する物体の画像を描いている。図１０Ｄは、頂点軸１６とクローキングアセンブリ１０の視角の間に３°の不整合を有する物体の画像を描いている。図１０Ａ〜１０Ｄ中の画像により示されているように、クローキングアセンブリ１０の物体サイド１２の物体の画像は、最高２°の不整合で明瞭に見ることができ、最高３°の不整合でもなお視認可能である。
【００８３】
本開示中に記載されているクローキングデバイスは、ビークルＡピラー、Ｂピラー、Ｃピラー、Ｄピラーなど、ビークルの内部から見た場合のビークル部材をクローキングし、このビークル部材がもたらす死角を迂回するために使用され得る。同様に、本開示中に記載のデバイスは、ケーブル、延長コード、ホースなどの他の品目または部材をクローキングするためにも使用可能である。「物体」、「部材」および「品目」なる用語は、光を反射または伝達する視覚的物体または画像（２Ｄまたは３Ｄ）を互換的に意味することができ、「〜からの光」なる用語は、「〜から反射された光」または「〜から伝達された光」を意味することができる。「概して」、「おおよそ」、および「約」なる用語は、本開示中では、いずれかの定量的比較、値、測定または他の表現に起因し得る固有の不確実性度を表わすために使用され得る。これらの用語は同様に、本開示中で、問題となっている主題の基本的機能の変化を結果としてもたらすことなく、定量的表現が定められた基準から変動し得る度合を表わすためにも使用される。
【００８４】
図中に開示され描かれている実施形態は、４つの色消しレンズまたは円柱レンズおよび４つのＣＲ反射境界により囲まれたＣＲを備えたクローキングアセンブリを描いているものの、２つの色消しレンズまたは円柱レンズおよび２つのＣＲ反射境界により囲まれたＣＲを備えたクローキングアセンブリも提供される。例えば、非限定的に、クローキングアセンブリは、１つの物体サイドレンズと１つの画像サイドレンズのみ、そして物体サイドＣＲ反射境界と画像サイドＣＲ反射境界の間に囲まれたクローキング領域を含んでいてよい。
【００８５】
本開示中で使用されている方向用語、例えば上、下、右、左、前、後、頂部、底部、垂直、水平などは、描画された通りの図を基準としているにすぎず、別段の規定のない限り絶対的配向を暗示するように意図されていない。
【００８６】
本開示中では特定の実施形態が例示され説明されてきたが、請求対象の主題の真意および範囲から逸脱することなく、さまざまな他の変更および修正を加えることができるということを理解すべきである。その上、本開示中では、請求対象の主題のさまざまな態様が説明されてきたが、このような態様を組み合わせで使用する必要はない。したがって、添付の特許請求の範囲は請求対象の主題の範囲内に入るこのような変更および修正の全てを網羅することが意図されている。
【００８７】
［例１］
クローキングデバイスであって、
物体サイド、画像サイド、および、前記物体サイドから前記画像サイドまで延在する頂点軸と、
外向きミラー表面と内向き表面とを有する物体サイドＣＲ反射境界、および、外向きミラー表面と内向き表面とを有する画像サイドＣＲ反射境界と、
前記物体サイドＣＲ反射境界および前記画像サイドＣＲ反射境界の前記内向き表面により囲まれたクローキング領域と、
各々が外向き凸状表面を含む、物体サイドレンズおよび画像サイドレンズと、
前記物体サイドＣＲ反射境界および前記画像サイドＣＲ反射境界から離隔された内向きミラー表面を含む少なくとも１つの外部反射境界と、
を含み、
前記クローキングデバイスの前記物体サイドに位置付けされ前記クローキング領域により視認不能化された物体からの光が、前記物体サイドレンズにより集束され、前記物体サイドＣＲ反射境界、前記少なくとも１つの外部反射境界および前記画像サイドＣＲ反射境界により反射され、前記画像サイドレンズにより集束されて前記クローキングデバイスの前記画像サイドに前記物体の画像を形成し、こうして前記物体からの前記光が前記クローキング領域を通過したようにみえる、
クローキングデバイス。
［例２］
前記少なくとも１つの外部反射境界が、前記物体サイドＣＲ反射境界および前記画像サイドＣＲ反射境界に面する前記内向きミラー表面を備えた、中央に位置付けされた外部反射境界を含む、例１に記載のクローキングデバイス。
［例３］
前記物体サイドレンズは、前記クローキングデバイスの前記物体サイドに位置付けされた前記物体からの入射光を前記物体サイドＣＲ反射境界に集束させるように配向されており、前記物体サイドＣＲ反射境界は、前記物体サイドレンズから集束された光を前記中央に位置付けされた外部反射境界の前記内向きミラー表面に反射するよう配向されており、前記中央に位置付けされた外部反射境界の内向きミラー表面は、前記物体サイドＣＲ反射境界からの光を前記画像サイドＣＲ反射境界に反射するように配向されており、前記画像サイドＣＲ反射境界は、前記中央に位置付けされた外部反射境界の前記内向きミラー表面からの光を前記画像サイドレンズに反射するように配向されており、前記画像サイドレンズは、前記画像サイドＣＲ反射境界からの光を集束させて前記クローキングデバイスの前記画像サイドに前記物体の前記画像を形成するように配向されている、例２に記載のクローキングデバイス。
［例４］
前記物体サイドレンズは、前記物体サイドに位置付けされた前記物体からの入射光を焦線に集束させ、前記中央に位置付けされた外部反射境界の前記内向きミラー表面は前記焦線に位置付けされている、例２に記載のクローキングデバイス。
［例５］
前記中央に位置付けされた外部反射境界の前記内向きミラー表面は前記頂点軸に対して平行に配向されている、例２に記載のクローキングデバイス。
［例６］
前記少なくとも１つの外部反射境界は、内向きミラー表面を備えた物体サイド外部反射境界と、外向きミラー表面を備えた中央に位置付けされた反射境界と、内向きミラー表面を備えた画像サイド外部反射境界と、を含む、例１に記載のクローキングデバイス。
［例７］
前記物体サイド外部反射境界の前記内向きミラー表面は、前記物体サイドＣＲ反射境界の前記外向きミラー表面および前記中央に位置付けされた反射境界の前記外向きミラー表面に面しており、
前記画像サイド外部反射境界の前記内向きミラー表面は、前記中央に位置付けされた反射境界の前記外向きミラー表面および前記画像サイドＣＲ反射境界の前記外向きミラー表面に面している、
例６に記載のクローキングデバイス。
［例８］
前記物体サイドレンズは、前記クローキングデバイスの前記物体サイドに位置付けされた前記物体からの入射光を前記物体サイドＣＲ反射境界に集束させるように配向されており、前記物体サイドＣＲ反射境界は、前記物体サイドレンズから集束された光を前記物体サイド外部反射境界に反射するように配向されており、前記物体サイド外部反射境界は、前記物体サイドＣＲ反射境界からの光を前記中央に位置付けされた反射境界に反射するように配向されており、前記中央に位置付けされた反射境界は、前記物体サイド外部反射境界からの光を前記画像サイド外部反射境界に反射するように配向されており、前記画像サイド外部反射境界は、前記中央に位置付けされた反射境界からの光を前記画像サイドＣＲ反射境界に反射するように配向されており、前記画像サイドＣＲ反射境界は、前記画像サイド外部反射境界からの光を前記画像サイドレンズに反射するように配向されており、前記画像サイドレンズは、前記画像サイドＣＲ反射境界からの光を集束させて前記クローキングデバイスの前記画像サイドに前記物体の前記画像を形成するように配向されている、例６に記載のクローキングデバイス。
［例９］
前記中央に位置付けされた反射境界の前記外向きミラー表面が前記頂点軸に対して平行に配向されている、例６に記載のクローキングデバイス。
［例１０］
クローキングデバイスアセンブリであって、
物体サイド、画像サイド、および、前記物体サイドから前記画像サイドまで延在する頂点軸と、
前記頂点軸の第１の側に位置付けされた第１の物体サイドＣＲ反射境界および前記第１の側と反対側の前記頂点軸の第２の側に位置付けされた第２の物体サイドＣＲ反射境界を含む、一対の物体サイドＣＲ反射境界であって、各々が外向きミラー表面および内向き表面を含んでいる、一対の物体サイドＣＲ反射境界と、
前記頂点軸の前記第１の側に位置付けされた第１の画像サイドＣＲ反射境界および前記頂点軸の前記第２の側に位置付けされた第２の画像サイドＣＲ反射境界を含む、一対の画像サイドＣＲ反射境界であって、各々が外向きミラー表面および内向き表面を含んでいる、一対の画像サイドＣＲ反射境界と、
前記一対の物体サイドＣＲ反射境界および前記一対の画像サイドＣＲ反射境界の前記内向き表面により囲まれたクローキング領域と、
前記頂点軸の前記第１の側に位置付けされた第１の物体サイドレンズおよび前記頂点軸の前記第２の側に位置付けされた第２の物体サイドレンズを含む、一対の物体サイドレンズであって、各々が外向き凸状表面を含んでいる、一対の物体サイドレンズと、
前記頂点軸の前記第１の側に位置付けされた第１の画像サイドレンズおよび前記頂点軸の前記第２の側に位置付けされた第２の画像サイドレンズを含む、一対の画像サイドレンズであって、各々が外向き凸状表面を含んでいる、一対の画像サイドレンズと、
前記頂点軸の前記第１の側に位置付けされた第１の外部反射境界および前記頂点軸の前記第２の側に位置付けされた第２の外部反射境界を含む少なくとも一対の外部反射境界であって、前記第１の外部反射境界が、前記第１の物体サイドＣＲ反射境界および前記第１の画像サイドＣＲ反射境界から離隔されかつこれらの第１の物体サイドＣＲ反射境界および第１の画像サイドＣＲ反射境界に面する内向きミラー表面を含み、前記第２の外部反射境界が、前記第２の物体サイドＣＲ反射境界および前記第２の画像サイドＣＲ反射境界から離隔されかつこれらの第２の物体サイドＣＲ反射境界および第２の画像サイドＣＲ反射境界に面する内向きミラー表面を含んでいる、少なくとも一対の外部反射境界と、
を含み、
前記クローキングデバイスアセンブリの前記物体サイドに位置付けされ前記クローキング領域により視認不能化された物体からの光が、前記一対の物体サイドレンズにより集束され、前記一対の物体サイドＣＲ反射境界、前記少なくとも一対の外部反射境界および前記一対の画像サイドＣＲ反射境界により反射され、前記一対の画像サイドレンズにより集束されて前記クローキングデバイスアセンブリの画像サイドに前記物体の画像を形成し、こうして前記物体からの前記光が前記クローキング領域を通過したようにみえる、
クローキングデバイスアセンブリ。
［例１１］
前記一対の物体サイドレンズおよび前記一対の画像サイドレンズが色消しレンズである、例１０に記載のクローキングデバイスアセンブリ。
［例１２］
前記少なくとも一対の外部反射境界が、前記頂点軸の前記第１の側に位置付けされた第１の中央に位置付けされた外部反射境界および前記頂点軸の前記第２の側に位置付けされた第２の中央に位置付けされた外部反射境界を備えた、一対の中央に位置付けされた外部反射境界を含み、前記一対の中央に位置付けされた外部反射境界の各々が、頂点軸に対し平行に配向された前記内向きミラー表面を含んでいる、例１０に記載のクローキングデバイスアセンブリ。
［例１３］
前記一対の物体サイドレンズは、前記クローキングデバイスアセンブリの前記物体サイドに位置付けされた前記物体からの入射光を前記一対の物体サイドＣＲ反射境界に集束させるように配向されており、前記一対の物体サイドＣＲ反射境界は、前記一対の物体サイドレンズから集束された光を前記一対の中央に位置付けされた外部反射境界の前記内向きミラー表面に反射するよう配向されており、前記一対の中央に位置付けされた外部反射境界の前記内向きミラー表面は、前記一対の物体サイドＣＲ反射境界からの光を前記一対の画像サイドＣＲ反射境界に反射するように配向されており、前記一対の画像サイドＣＲ反射境界は、前記一対の中央に位置付けされた外部反射境界の前記内向きミラー表面からの光を前記一対の画像サイドレンズに反射するように配向されており、前記一対の画像サイドレンズは、前記一対の画像サイドＣＲ反射境界からの光を集束させて前記クローキングデバイスアセンブリの前記画像サイドに前記物体の前記画像を形成するように配向されている、例１２に記載のクローキングデバイスアセンブリ。
［例１４］
前記少なくとも一対の外部反射境界は、内向きミラー表面を備えた一対の物体サイド外部反射境界と、外向きミラー表面を備えた一対の中央に位置付けされた反射境界と、内向きミラー表面を備えた一対の画像サイド外部反射境界と、を含む、例１０に記載のクローキングデバイスアセンブリ。
［例１５］
前記一対の物体サイドレンズは、前記クローキングデバイスアセンブリの前記物体サイドに位置付けされた前記物体からの入射光を前記一対の物体サイドＣＲ反射境界に集束させるように配向されており、
前記一対の物体サイドＣＲ反射境界は、前記一対の物体サイドレンズから集束された光を前記一対の物体サイド外部反射境界に反射するように配向されており、
前記一対の物体サイド外部反射境界は、前記一対の物体サイドＣＲ反射境界からの光を前記一対の中央に位置付けされた反射境界に反射するように配向されており、
前記一対の中央に位置付けされた反射境界は、前記一対の物体サイド外部反射境界からの光を前記一対の画像サイド外部反射境界に反射するように配向されており、
前記一対の画像サイド外部反射境界は、前記一対の中央に位置付けされた反射境界からの光を前記一対の画像サイドＣＲ反射境界に反射するように配向されており、
前記一対の画像サイドＣＲ反射境界は、前記一対の画像サイド外部反射境界からの光を前記一対の画像サイドレンズに反射するように配向されており、
前記一対の画像サイドレンズは、前記一対の画像サイドＣＲ反射境界からの光を集束させて前記クローキングデバイスアセンブリの前記画像サイドに前記物体の前記画像を形成するように配向されている、
例１４に記載のクローキングデバイスアセンブリ。
［例１６］
ビークルであって、
Ａピラーと、
クローキングデバイスであって、
物体サイド、画像サイド、および、前記物体サイドから前記画像サイドまで延在する頂点軸と、
外向きミラー表面と内向き表面とを含む物体サイドＣＲ反射境界、および、外向きミラー表面と内向き表面とを含む画像サイドＣＲ反射境界と、
前記物体サイドＣＲ反射境界および前記画像サイドＣＲ反射境界の前記内向き表面により囲まれたクローキング領域であって、前記Ａピラーが当該クローキング領域の内部に位置付けされている、クローキング領域と、
各々が外向き凸状表面を含む、物体サイド色消しレンズおよび画像サイド色消しレンズと、
前記物体サイドＣＲ反射境界および前記ＣＲ平面境界から離隔された内向きミラー表面を含む少なくとも１つの外部反射境界と、
を含むクローキングデバイスと、
を含み、
前記クローキングデバイスの物体サイドに位置付けされ前記クローキング領域により視認不能化された物体からの光が、前記物体サイド色消しレンズにより集束され、前記物体サイドＣＲ反射境界、前記少なくとも１つの外部反射境界および前記画像サイドＣＲ反射境界により反射され、前記画像サイド色消しレンズにより集束されて前記クローキングデバイスの前記画像サイドに前記物体の画像を形成し、こうして前記物体からの前記光が前記Ａピラーを通過したようにみえる、
ビークル。
［例１７］
前記少なくとも１つの外部反射境界が、前記頂点軸に対して平行に配向され前記物体サイドＣＲ反射境界および前記画像サイドＣＲ反射境界に面する前記内向きミラー表面を備えた、中央に位置付けされた外部反射境界を含む、例１６に記載のビークル。
［例１８］
前記物体サイドレンズが、前記物体サイドに位置付けされた物体からの入射光を焦線に集束させ、前記中央に位置付けされた外部反射境界の前記内向きミラー表面が前記焦線に位置付けされている、例１７に記載のビークル。
［例１９］
前記少なくとも１つの外部反射境界が、内向きミラー表面を備えた物体サイド外部反射境界と、前記頂点軸に対して平行に配向された外向きミラー表面を備えた中央に位置付けされた反射境界と、内向きミラー表面を備えた画像サイド外部反射境界と、を含む、例１６に記載のビークル。
［例２０］
前記物体サイド色消しレンズは、前記クローキングデバイスの前記物体サイドに位置付けされた前記物体からの入射光を前記物体サイドＣＲ反射境界に集束させるように配向されており、前記物体サイドＣＲ反射境界は、前記物体サイド色消しレンズから集束された光を前記少なくとも１つの外部反射境界に反射するように配向されており、前記少なくとも１つの外部反射境界は、前記物体サイドＣＲ反射境界からの光を前記画像サイドＣＲ反射境界に反射するように配向されており、前記画像サイドＣＲ反射境界は、前記少なくとも１つの外部反射境界からの光を前記画像サイド色消しレンズに反射するように配向されており、前記画像サイド色消しレンズは、前記画像サイドＣＲ反射境界からの光を集束させ前記クローキングデバイスの前記画像サイドに前記物体の前記画像を形成するように配向されている、例１６に記載のビークル。
【図１】
2019091008.tif 000003
【図２】
2019091008.tif 000004
【図３】
2019091008.tif 000005
【図４】
2019091008.tif 000006
【図５】
2019091008.tif 000007
【図６】
2019091008.tif 000008
【図７】
2019091008.tif 000009
【図８】
2019091008.tif 000010
【図９】
2019091008.tif 000011
【図１０Ａ】
2019091008.tif 000012
【図１０Ｂ】
2019091008.tif 000013
【図１０Ｃ】
2019091008.tif 000014
【図１０Ｄ】
2019091008.tif 000015
【外国語明細書】
2019091008000001.pdf